(57)【要約】【課題】  複数のウェブサイトに分散する商品情報、ウェブサイト内の探索が困難な商品情報、および関連商品についての商品情報を、信頼性を保ちつつ迅速かつ容易に検索することを可能にする商品情報検索支援技術を提供する。【解決手段】  端末装置１ａより、ユーザが医薬品の商品名を入力し、インタビューフォームの検索を選択すると、端末装置１ａのブラウザは、入力された商品名のインタビューフォームを提供する製薬企業のウェブサイトに自動的にアクセスし、トップページを表示する。ブラウザは、トップページから目的とするインタビューフォームが置かれたページまでの操作を案内するガイド情報が、ウェブページと同時並列に表示する。【選択図】      図３
2008108080.tif 000002
【特許請求の範囲】
【請求項１】
一群の商品を識別する商品名と、前記一群の商品を提供する複数の商品提供者が開設し当該商品の商品情報を提供するウェブサイトのアドレスとを、互いに関連づけて記憶しているデータ記憶部と、
指定されたアドレスのウェブサイトにアクセスしてウェブデータをダウンロードし、ダウンロードしたウェブデータを出力するブラウザ部と、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部と、を備える商品情報検索支援システム。
【請求項２】
指定されたアドレスのウェブサイトにアクセスしてウェブデータをダウンロードし、ダウンロードしたウェブデータを出力するブラウザ部を有する端末装置に接続可能な商品情報検索支援システムであって、
一群の商品を識別する商品名と、前記一群の商品を提供する複数の商品提供者が開設し当該商品の商品情報を提供するウェブサイトのアドレスとを、互いに関連づけて記憶しているデータ記憶部と、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部と、を備える商品情報検索支援システム。
【請求項３】
前記データ記憶部は、自身が記憶するアドレスのうちの少なくとも一部について、各アドレスとその一または複数の下位階層との少なくともいずれかに対応するウェブデータ上で商品情報を得るためにユーザがなすべき操作を案内する情報であるガイド情報を、前記各アドレスに関連づけてさらに記憶しており、
前記商品情報検索支援システムは、
前記ブラウザ部がアクセスするアドレスに関連づけられたガイド情報を前記記憶部から取得するガイド情報取得部と、
前記ブラウザ部がダウンロードしたウェブデータと前記ガイド情報取得部が取得したガイド情報とを、ユーザが同時並列に目視し得る形式で前記ブラウザ部に出力させる、ガイド情報出力部と、をさらに備える請求項１または２記載の商品情報検索支援システム。
【請求項４】
前記ガイド情報出力部は、前記ガイド情報取得部が取得したガイド情報が、ユーザに商品名の入力を求める商品名入力欄を含むウェブデータに対応するものである場合に、前記データ記憶部に記憶される前記検索対象商品名を前記商品名入力欄へ入力させるための命令を前記ガイド情報を表示するファイルに貼り付けて前記ブラウザ部へ受け渡す、請求項３記載の商品情報検索支援システム。
【請求項５】
前記ガイド情報出力部は、前記ガイド情報取得部が取得したガイド情報が、ユーザに商品名の入力を求める商品名入力欄を含むウェブデータに対応するものである場合に、前記データ記憶部に記憶される前記検索対象商品名を表示させるための命令を、前記ガイド情報を表示するファイルに貼り付けて前記ブラウザ部へ受け渡す、請求項３記載の商品情報検索支援システム。
【請求項６】
前記データ記憶部は、一群の商品を識別する商品名と、前記一群の商品を提供する複数の商品提供者の識別名とを関連づけて、さらに記憶しており、
前記商品情報検索支援システムは、
前記複数の商品提供者のうち、開設するウェブサイトがアクセスに際して本人認証を求めるものについて、商品提供者の識別名と当該商品提供者へ登録済みの本人認証データとを関連づけて、前記データ記憶部へ記憶させる認証データ入力部を、さらに備え、
前記ガイド情報取得部は、取得したガイド情報が、ユーザに本人認証データの入力を求める認証データ入力欄を含むウェブデータに対応するものである場合に、前記記憶部に記憶される前記検索対象商品名に関連づけられた本人認証データを、前記データ記憶部から取得し、
前記ガイド情報出力部は、前記ガイド情報取得部が取得した前記本人認証データを、前記認証データ入力欄へ入力させるための命令を前記ガイド情報を表示するファイルに貼り付けて前記ブラウザ部へ受け渡す、請求項３ないし５のいずれかに記載の商品情報検索支援システム。
【請求項７】
前記データ記憶部は、一群の商品を識別する商品名と、前記一群の商品を提供する複数の商品提供者の識別名とを関連づけて、さらに記憶しており、
前記商品情報検索支援システムは、
前記複数の商品提供者のうち、開設するウェブサイトがアクセスに際して本人認証を求めるものについて、商品提供者の識別名と当該商品提供者へ登録済みの本人認証データとを関連づけて、前記データ記憶部へ記憶させる認証データ入力部を、さらに備え、
前記ガイド情報取得部は、取得したガイド情報が、ユーザに本人認証データの入力を求める認証データ入力欄を含むウェブデータに対応するものである場合に、前記記憶部に記憶される前記検索対象商品名に関連づけられた本人認証データを、前記データ記憶部から取得し、
前記ガイド情報出力部は、前記ガイド情報取得部が取得した前記本人認証データを表示させるための命令を前記ガイド情報を表示するファイルに貼り付けて前記ブラウザ部へ受け渡す、請求項３ないし５のいずれかに記載の商品情報検索支援システム。
【請求項８】
前記データ記憶部は、自身が記憶する一群の商品について、互いに類似商品の関係にある商品の商品名同士を関連づけて、さらに記憶しており、
前記商品情報検索支援システムは、
ユーザの指示に応答して、前記データ記憶部に記憶されている前記検索対象商品名の商品に類似する商品の商品名を、前記データ記憶部から取得し、前記ブラウザ部に出力させる類似商品名出力部と、
出力された前記類似商品の商品名の一つのユーザによる選択を受け付け、受け付けた商品名を前記検索対象商品名として前記データ記憶部に記憶させる類似商品名選択受付部と、をさらに備える請求項１ないし７のいずれかに記載の商品情報検索支援システム。
【請求項９】
前記データ記憶部は、自身が記憶する一群の商品について、互いに類似商品の関係にある商品の商品名同士を関連づけて、さらに記憶するとともに、前記一群の商品の各々の商品名と関連づけて、当該各商品の商品情報から要点を抽出してなる要約を、さらに記憶しており、
前記商品情報検索支援システムは、
ユーザによる類似商品の商品情報の要約の出力要求を受け付ける要約出力要求受付部と、
前記要約出力要求受付部が前記要求を受け付けると、前記データ記憶部に記憶されている前記検索対象商品名に関連づけられた商品情報の要約と、前記検索対象商品名の商品に類似する商品の商品名および当該商品名に関連づけられた商品情報の要約とを前記データ記憶部から取得する要約取得部と、
前記検索対象商品名およびその商品情報の要約と前記検索対象商品名の商品の類似商品の商品名およびその商品情報の要約とを互いに対比可能に並べた形式で画面表示させるべく、前記要約取得部が取得した情報を前記ブラウザ部に出力させる要約出力部と、
出力された前記類似商品の商品名の一つのユーザによる選択を受け付け、受け付けた商品名を前記検索対象商品名として前記データ記憶部に記憶させる類似商品名選択受付部と、をさらに備える請求項１ないし７のいずれかに記載の商品情報検索支援システム。
【請求項１０】
前記データ記憶部は、前記一群の商品名の商品に関する情報を一括して提供する商品情報提供者が開設するウェブサイトのアドレスをさらに記憶しており、
前記商品情報検索支援システムは、
前記商品情報提供者が開設するウェブサイトへのユーザによるアクセスの指示を受け付ける商品情報提供者サイトアクセス指示受付部を、さらに備え、
前記アドレス取得部は、前記商品情報提供者サイトアクセス指示部がアクセスを受け付けると、前記商品情報提供者が開設するウェブサイトのアドレスを前記データ記憶部から取得する、請求項１ないし９のいずれかに記載の商品情報検索支援システム。
【請求項１１】
前記データ記憶部が記憶する前記アドレスの少なくとも一部は、同一サイト内に複数階層のウェブデータを有するウェブサイトの最上階層のウェブデータに対応するアドレスである、請求項１ないし１０のいずれかに記載の商品情報検索支援システム。
【請求項１２】
前記データ記憶部が記憶する前記アドレスの少なくとも一部は、同一サイト内に属する最上階層のウェブデータに対応するアドレスと、それよりも下位階層で且つ商品情報を提示する階層以上のウェブデータに対応するアドレスとを含んでおり、
前記商品情報検索支援システムは、アクセス先として最上階層と下位階層とのいずれのウェブデータを選択するかについてのユーザの指示を受け付ける選択受付部を、さらに備え、
前記アドレス取得部は、前記データ記憶部から取得すべきアドレスとして、同一サイト内の複数階層に属するウェブデータのアドレスが存在するときに、前記選択受付部が受け付けた指示に従ってアドレスを取得する、請求項１１記載の商品情報検索支援システム。
【請求項１３】
前記データ記憶部は、前記一群の商品と同一種類の商品であって、前記複数の商品提供者が開設するウェブサイトのいずれにも商品情報が提供されていない商品について、商品名と当該商品の提供者が提供する商品情報とを関連づけて付加情報としてさらに記憶しており、
前記商品情報検索支援システムは、
前記商品提供者サイトアクセス指示受付部がアクセスの指示を受け付けたときに、前記データ記憶部に記憶されている前記付加情報を参照することにより、前記検索対象商品名に対応する商品情報が存在すれば当該商品情報を取得し、前記ブラウザ部に出力させる付加情報出力部を、さらに備え、
前記アドレス取得部は、前記検索対象商品名に対応する商品情報が前記付加情報に存在しない場合に限り、商品提供者が開設するウェブサイトのアドレスであって、前記データ記憶部に記憶されている前記検索対象商品名に関連づけられたアドレスを、前記データ記憶部から取得する請求項１ないし１２のいずれかに記載の商品情報検索支援システム。
【請求項１４】
前記データ記憶部は、自身が記憶している商品名のうちの少なくとも一部について、商品名と商品名以外の検索キーワードとを関連づけて、さらに記憶しており、
前記商品情報検索支援システムは、
ユーザによる検索キーワードの出力要求を受け付ける検索キーワード出力要求受付部と、
前記検索キーワード出力要求受付部が、出力要求を受け付けると、前記データ記憶部に記憶されている検索対象商品名に関連づけられた検索キーワードを、前記データ記憶部から取得し、取得した検索キーワードを前記ブラウザ部に出力させる検索キーワード出力部と、をさらに備える請求項１ないし１３のいずれかに記載の商品情報検索支援システム。
【請求項１５】
前記商品が医薬品である請求項１ないし１４のいずれかに記載の商品情報検索支援システム。
【請求項１６】
指定されたアドレスのウェブサイトにアクセスしてウェブデータをダウンロードし、ダウンロードしたウェブデータを出力するブラウザ部を備えるコンピュータを、
一群の商品を識別する商品名と、前記一群の商品を提供する複数の商品提供者が開設し当該商品の商品情報を提供するウェブサイトのアドレスとを、互いに関連づけて記憶しているデータ記憶部と、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部として機能させるための商品情報検索支援プログラム。
【請求項１７】
指定されたアドレスのウェブサイトにアクセスしてウェブデータをダウンロードし、ダウンロードしたウェブデータを出力するブラウザ部と、
一群の商品を識別する商品名と、前記一群の商品を提供する複数の商品提供者が開設し当該商品の商品情報を提供するウェブサイトのアドレスとを、互いに関連づけて記憶しているデータ記憶部と、を備えるコンピュータを、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部として機能させるための商品情報検索支援プログラム。
【請求項１８】
指定されたアドレスのウェブサイトにアクセスしてウェブデータをダウンロードし、ダウンロードしたウェブデータを出力するブラウザ部を備える端末装置に接続可能なコンピュータを、
一群の商品を識別する商品名と、前記一群の商品を提供する複数の商品提供者が開設し当該商品の商品情報を提供するウェブサイトのアドレスとを、互いに関連づけて記憶しているデータ記憶部と、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部として機能させるための商品情報検索支援プログラム。
【請求項１９】
指定されたアドレスのウェブサイトにアクセスしてウェブデータをダウンロードし、ダウンロードしたウェブデータを出力するブラウザ部を備える端末装置に接続可能で、一群の商品を識別する商品名と、前記一群の商品を提供する複数の商品提供者が開設し当該商品の商品情報を提供するウェブサイトのアドレスとを、互いに関連づけて記憶しているデータ記憶部を備えるコンピュータを、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部として機能させるための商品情報検索支援プログラム。
【請求項２０】
請求項１６ないし１９のいずれかに記載の商品情報検索支援プログラムを記録したコンピュータ読み取り可能な商品情報検索支援プログラム記録媒体。
【発明の詳細な説明】
【技術分野】
【０００１】
本発明は、医薬品情報の検索支援に好適な商品情報検索支援技術に関し、特に、商品ごと情報資料ごとに複数のウェブサイトに分散する商品情報を一元的に検索することを可能にする技術に関する。
【背景技術】
【０００２】
患者中心の医療が提唱されて久しい。しかし、求められる医薬品情報が、求める患者、医療従事者、その他の関係者によって適時適切に使用されているとは言い難い現状がある。医薬品の有効性、安全性および品質に関する情報は、疾病の薬物治療としての処方や、処方された医薬品に係る調剤に当たっては、医師、薬剤師によって必要とされ、与薬された医薬品の適正な服用に当たっては、患者あるいは介護する者によっても必要とされる。
【０００３】
医薬品情報としては、基本情報としての医療用医薬品添付文書（以下、添付文書）、医薬品インタビューフォーム（以下、インタビューフォーム）、総合製品情報概要、申請資料概要・審査報告書、文献・研究報告書、くすりのしおり（登録商標）、などの情報資料が、医薬品ごとに存在する。これら医薬品の総品目数は、１０，０００を超える。
【０００４】
このように医薬品の数とその情報量とが膨大であるところから、専門領域の特定医薬品を理解することすら容易ではなく、すべての医薬品情報を記憶することにはおのずと限界があることは明らかである。しかも、医薬品情報の更新が高い頻度でなされること、基本情報のそれぞれの情報資料が分散して存在していること、情報資料が公開されているウェブサイト内において、サイト毎に異なる道筋を辿って到達し得る深い階層に目的の医薬品情報が置かれていることなどの理由により、適時適切な医薬品情報の取得がし難いという状況がある。
【０００５】
例えば、インタビューフォームおよび総合製品情報概要は、医薬品ごとに、その製造メーカである製薬企業が個別に開設するウェブサイトに存在する。製薬企業の数は１００を超えており、その結果、目的とする医薬品の製薬企業のウェブサイトを探し当てること自体が容易ではない、という問題点があった。しかも、情報資料は各ウェブサイトの深い階層内に置かれており、情報を必要とする医師、薬剤師、看護師等の医療従事者は、製造企業のウェブサイト毎に異なる複雑な道筋を辿って目的の情報に到達しなければならない。ウェブサイトによっては、インタビューフォーム等の情報資料への入り口が判然としないものも少なくなく、情報の探索は困難を極める。
【０００６】
インタビューフォーム等の医薬品情報は、ＨＴＭＬファイルとして常にダウンロード可能な状態に置かれている訳ではなく、元になる情報がデータベースに置かれており、要求に応じてこれを呼び出したり編集したりして、ダウンロード要求に応えるようになっている。このため、インターネット上の検索エンジンのサイトを利用して、目的の情報資料を探し当てることはできない。
【０００７】
さらに、独立行政法人医薬品医療機器総合機構という公的機関が公開する添付文書や申請資料概要・審査報告書についても同様に、当該機関が開設するウェブサイトの深い階層に同様の形態で置かれており、同様の問題点があった。したがって、目的とする一つの医薬品について、インタビューフォームあるいは添付文書など一つの医薬品情報を取得するだけでも容易ではなく、多大な労力と時間とを要するという問題があった。
【０００８】
さらに、医師等の医療従事者は、一つの医薬品について、インタビューフォーム、添付文書など、複数のサイトに分散する複数種類の情報資料を入手する必要がある。加えて、一つの薬物治療は複数の医薬品の処方をともなうことが多いことから、また適切な医薬品の選択から、医師等の医療従事者は、一つの薬物治療ごとに、それら複数の医薬品に関する情報を入手する必要がある。
【０００９】
また、医薬品の中には、その主薬効化学成分は異なるが、化学構造が類似し、類似の薬理作用機序を有する同種同効医薬品、化学構造は必ずしも類似せずに類似の作用機序を示すが、類薬に比べて受容体や酵素選択性が高く安全性が高い医薬品、あるいは主薬効化学成分が同一であるが製薬企業が異なる後発医薬品（ジェネリック医薬品）などが含まれる。これらの類似医薬品は、類似の有効性を持つが、有効性、安全性あるいは品質において、あるいは薬剤価格において特徴が見られるものがある。このため、医師等の医療従事者は、薬物治療を行うに当たって、単一の医薬品だけでなく、その同種同効医薬品や、先発・後発の関係にある医薬品についても同時に参照する必要がある。
【００１０】
このように、医師等の医療従事者は、一つの薬物治療ごとに、多数の医薬品について医薬品情報を入手する必要がある。しかし上述したように、情報資料自体が複数種類であること、情報資料を公開するサイトが分散していること、サイト内での情報資料の探索が困難であることから、医療従事者は、必要な医薬品情報を取得しようとすると、一つの薬物治療ごとに平均的に数時間もの時間を要し、医療現場の実情には沿わないという問題点があった。
【００１１】
このような問題点を解決するものとして、特許文献１に開示される技術が知られている。当該文献に開示される技術は、複数のウェブサイトに分散する商品情報の要約を、ウェブサーバが保有するデータベースに集約しておき、クライアント端末からの商品検索に供するものである。それによって、クライアント端末を操作するユーザは、希望する商品を迅速に探し当て、購入することが可能となっている。
【００１２】
しかしながら、当該文献に開示される技術は、分散するウェブサイトから商品情報を取得し、加工したものをクライアント端末に供給するものであるため、データベースの構築に労力を要するのに加えて、商品情報の信頼性に問題があった。特に、絶えず更新される商品情報については、最新の情報の取得が困難である、という問題点があった。医薬品は、他の一般の商品とは異なり、人命に係わるものであることから、その商品情報、すなわち医薬品情報には高度の信頼性が要求される。しかも、副作用に関する情報が付加されるなど、添付文書やインタビューフォーム等の情報資料では、絶えず更新が行われる。したがって、特許文献１に開示される技術は、医薬品情報の検索システムとしての利用には不適であるという問題点があった。
【００１３】
加えて、上述したように、類似医薬品の情報すなわち類薬情報は、処方、調剤、服用等において重要なものであり、一つの医薬品について、その類似医薬品についての医薬品情報をも、迅速に取得することが必要である。しかしながら、これを可能にする仕組み、すなわち関連商品に関する情報を迅速に取得可能とするための仕組みは、特許文献１には開示されていない。
【特許文献１】特開２００２−３４２３５４号公報
【発明の開示】
【発明が解決しようとする課題】
【００１４】
本発明は上記の問題点に鑑みてなされたもので、複数のウェブサイトに分散する商品情報、ウェブサイト内の探索が困難な商品情報、および関連商品についての商品情報を、信頼性を保ちつつ迅速かつ容易に検索することを可能にする商品情報検索支援技術を提供することを目的とする。
【課題を解決するための手段】
【００１５】
上記課題を解決し上記目的を達成するために、本発明のうち第１の態様に係るものは、商品情報検索支援システムであって、データ記憶部と、ブラウザ部と、商品名入力受付部と、商品提供者サイトアクセス指示受付部と、アドレス取得部と、アドレス受渡部とを備えている。
【００１６】
データ記憶部は、一群の商品を識別する商品名と、前記一群の商品を提供する複数の商品提供者が開設し当該商品の商品情報を提供するウェブサイトのアドレスとを、互いに関連づけて記憶している。ブラウザ部は、指定されたアドレスのウェブサイトにアクセスしてウェブデータをダウンロードし、ダウンロードしたウェブデータを出力するものである。商品名入力受付部は、ユーザによる商品名の入力を受け付け、検索対象商品名として前記データ記憶部に記憶させるものである。
【００１７】
商品提供者サイトアクセス指示受付部は、前記複数の商品提供者が開設するウェブサイトへのユーザによるアクセスの指示を受け付けるものである。アドレス取得部は、前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するものである。アドレス受渡部は、前記アドレス取得部が取得したアドレスを前記ブラウザ部へ、アクセス先として受け渡すものである。
【００１８】
この構成によれば、ユーザが商品名を入力し、さらに、複数の商品提供者が開設するウェブサイトへのアクセスを指示すると、データ記憶部に記憶されているデータに基づいて、入力した商品名の商品情報を提供するウェブサイトのアドレスがブラウザ部へ受け渡される。そして、ブラウザ部は、受け渡されたアドレスにアクセスしてウェブデータをダウンロードする。それによりユーザは、目的とする商品情報を提供するウェブサイトのアドレスを自ら探し出す手間を要することなく、商品名を入力するだけで、当該ウェブサイトにアクセスすることができる。このように、ユーザは、複数の商品提供者が開設するウェブサイトに分散する一群の商品情報を一元的に検索し、利用することが可能となる。ユーザは基本的に、商品提供者による商品情報、すなわち商品情報における一次情報にアクセスし、利用するものであるので、商品情報に対する信頼性が高く、かつ商品情報検索支援システムの構築に要する負担も軽減される。なお、一群の商品は、最少３つの商品である。また、本発明において「商品」は、「役務（サービス）」をも含む概念である。
【００１９】
本発明のうち第２の態様に係るものは、指定されたアドレスのウェブサイトにアクセスしてウェブデータをダウンロードし、ダウンロードしたウェブデータを出力するブラウザ部を有する端末装置に接続可能な商品情報検索支援システムである。そして、当該商品情報検索支援システムは、データ記憶部と、商品名入力受付部と、商品提供者サイトアクセス指示受付部と、アドレス取得部と、アドレス受渡部とを備えている。
【００２０】
データ記憶部は、一群の商品を識別する商品名と、前記一群の商品を提供する複数の商品提供者が開設し当該商品の商品情報を提供するウェブサイトのアドレスとを、互いに関連づけて記憶している。商品名入力受付部は、ユーザによる商品名の入力を受け付け、検索対象商品名として前記データ記憶部に記憶させるものである。商品提供者サイトアクセス指示受付部は、前記複数の商品提供者が開設するウェブサイトへのユーザによるアクセスの指示を受け付けるものである。
【００２１】
アドレス取得部は、前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するものである。アドレス受渡部は、前記アドレス取得部が取得したアドレスを前記ブラウザ部へ、アクセス先として受け渡すものである。
【００２２】
この構成によれば、本発明のうち第１の態様にかかるものについて述べたところと同様の作用により、同様の効果を奏する。この構成においても、一群の商品は、最少３つの商品である。
【００２３】
本発明のうち第３の態様に係るものは、第１または第２の態様に係る商品情報検索支援システムであって、前記データ記憶部は、自身が記憶するアドレスのうちの少なくとも一部について、各アドレスとその一または複数の下位階層との少なくともいずれかに対応するウェブデータ上で商品情報を得るためにユーザがなすべき操作を案内する情報であるガイド情報を、前記各アドレスに関連づけてさらに記憶している。また、前記商品情報検索支援システムは、ガイド情報取得部と、ガイド情報出力部とをさらに備えている。ガイド情報取得部は、前記ブラウザ部がアクセスするアドレスに関連づけられたガイド情報を前記記憶部から取得するものである。ガイド情報出力部は、前記ブラウザ部がダウンロードしたウェブデータと前記ガイド情報取得部が取得したガイド情報とを、ユーザが同時並列に目視し得る形式で前記ブラウザ部に出力させるものである。
【００２４】
この構成によれば、ブラウザ部がアクセスするアドレスに関連づけられたガイド情報が記憶部から取得され、ブラウザ部がダウンロードしたウェブデータとガイド情報とが、同時並列に目視し得る形式で出力されるので、ユーザは対応するガイド情報に導かれつつ、ウェブデータ上で商品情報を得るための所定の操作を容易に行うことができる。すなわち、一般にウェブサイト毎に異なる商品情報へ至る操作を、ガイド情報に導かれることによって、円滑に行うことが可能となる。
【００２５】
本発明のうち第４の態様に係るものは、第３の態様に係る商品情報検索支援システムであって、前記ガイド情報出力部は、前記ガイド情報取得部が取得したガイド情報が、ユーザに商品名の入力を求める商品名入力欄を含むウェブデータに対応するものである場合に、前記データ記憶部に記憶される前記検索対象商品名を前記商品名入力欄へ入力させるための命令を前記ガイド情報を表示するファイルに貼り付けて前記ブラウザ部へ受け渡すものである。
【００２６】
この構成によれば、表示すべきガイド情報が、商品名入力欄を含むウェブデータに対応するものである場合に、検索対象商品名を商品名入力欄へ入力させるための命令が、ガイド情報を表示するファイルに貼り付けられてブラウザ部に受け渡されるので、ガイド情報を受け取ったブラウザ部は、命令にしたがって、検索対象商品名を商品入力欄へ入力する。すなわち、ダウンロードされたウェブデータに商品名入力欄を表示するデータが含まれるときに、ガイド情報を利用することにより、ユーザが先に入力した商品名が商品名入力欄に自動入力される。このため、商品名入力欄が現れる度に行うべき商品名の入力作業を省くことができる。それによって、ユーザはウェブデータが提供する商品情報の検索を能率良く行うことが可能となる。
【００２７】
本発明のうち第５の態様に係るものは、第３の態様に係る商品情報検索支援システムであって、前記ガイド情報出力部は、前記ガイド情報取得部が取得したガイド情報が、ユーザに商品名の入力を求める商品名入力欄を含むウェブデータに対応するものである場合に、前記データ記憶部に記憶される前記検索対象商品名を表示させるための命令を、前記ガイド情報を表示するファイルに貼り付けて前記ブラウザ部へ受け渡すものである。
【００２８】
この構成によれば、表示すべきガイド情報が、商品名入力欄を含むウェブデータに対応するものである場合に、検索対象商品名を表示させるための命令が、ガイド情報を表示するファイルに貼り付けられてブラウザ部に受け渡されるので、ガイド情報を受け取ったブラウザ部は、命令にしたがって検索対象商品名を表示する。すなわち、ダウンロードされたウェブデータに、商品名入力欄を表示するデータが含まれるときに、ガイド情報を利用することにより、ユーザが先に入力した商品名が表示される。それにより、ユーザは、表示された商品名をマウス操作等によりコピーし、商品名入力欄にペーストすることができる。すなわち、商品名入力欄が現れる度に行うべき商品名の入力作業を、簡便に、しかも誤りを少なくして行うことが可能となる。それによって、ユーザはウェブデータが提供する商品情報の検索を能率良く行うことが可能となる。
【００２９】
本発明のうち第６の態様に係るものは、第３ないし第５のいずれかの態様に係る商品情報検索支援システムであって、データ記憶部は、一群の商品を識別する商品名と、前記一群の商品を提供する複数の商品提供者の識別名とを関連づけて、さらに記憶している。そして、商品情報検索支援システムは、前記複数の商品提供者のうち、開設するウェブサイトがアクセスに際して本人認証を求めるものについて、商品提供者の識別名と当該商品提供者へ登録済みの本人認証データとを関連づけて、前記データ記憶部へ記憶させる認証データ入力部を、さらに備えている。
【００３０】
また、ガイド情報取得部は、取得したガイド情報が、ユーザに本人認証データの入力を求める認証データ入力欄を含むウェブデータに対応するものである場合に、前記記憶部に記憶される前記検索対象商品名に関連づけられた本人認証データを、前記データ記憶部から取得するものである。さらに、ガイド情報出力部は、前記ガイド情報取得部が取得した前記本人認証データを、前記認証データ入力欄へ入力させるための命令を前記ガイド情報を表示するファイルに貼り付けて前記ブラウザ部へ受け渡すものである。
【００３１】
この構成によれば、表示すべきガイド情報が、認証データ入力欄を含むウェブデータに対応するものである場合に、例えば会員ＩＤやパスワードなどの本人認証データを認証データ入力欄へ入力させるための命令がガイド情報を表示するファイルに貼り付けられてブラウザ部に受け渡されるので、ガイド情報を受け取ったブラウザ部は、命令にしたがって、本人認証データを認証データ入力欄へ入力する。すなわち、ダウンロードされたウェブデータに認証データ入力欄を表示するデータが含まれるときに、ガイド情報を利用することにより、該当する商品提供者に登録した本人認証データが認証データ入力欄に自動入力される。このためユーザは、認証データ入力欄が現れる度に、商品提供者毎に異なる本人認証データの入力作業を省くことができる。それによって、ユーザはウェブデータが提供する商品情報の検索を能率良く行うことが可能となる。
【００３２】
本発明のうち第７の態様に係るものは、第３ないし第５のいずれかの態様に係る商品情報検索支援システムであって、データ記憶部は、一群の商品を識別する商品名と、前記一群の商品を提供する複数の商品提供者の識別名とを関連づけて、さらに記憶している。そして、商品情報検索支援システムは、前記複数の商品提供者のうち、開設するウェブサイトがアクセスに際して本人認証を求めるものについて、商品提供者の識別名と当該商品提供者へ登録済みの本人認証データとを関連づけて、前記データ記憶部へ記憶させる認証データ入力部を、さらに備えている。
【００３３】
また、ガイド情報取得部は、取得したガイド情報が、ユーザに本人認証データの入力を求める認証データ入力欄を含むウェブデータに対応するものである場合に、前記記憶部に記憶される前記検索対象商品名に関連づけられた本人認証データを、前記データ記憶部から取得するものである。さらに、ガイド情報出力部は、前記ガイド情報取得部が取得した前記本人認証データを表示させるための命令を前記ガイド情報を表示するファイルに貼り付けて前記ブラウザ部へ受け渡すものである。
【００３４】
この構成によれば、表示すべきガイド情報が、認証データ入力欄を含むウェブデータに対応するものである場合に、例えば会員ＩＤやパスワードなどの本人認証データを表示させるための命令が、ガイド情報を表示するファイルに貼り付けられてブラウザ部に受け渡されるので、ガイド情報を受け取ったブラウザ部は、命令にしたがって本人認証データを表示する。すなわち、ダウンロードされたウェブデータに認証データ入力欄を表示するデータが含まれるときに、ガイド情報を利用することにより、該当する商品提供者に登録した本人認証データが表示される。それにより、ユーザは、表示された本人認証データをマウス操作等によりコピーし、認証データ入力欄にペーストすることができる。このためユーザは、認証データ入力欄が現れる度に、商品提供者毎に異なる本人認証データの入力作業を、簡便に、しかも誤りを少なくして行うことが可能となる。それによって、ユーザはウェブデータが提供する商品情報の検索を能率良く行うことが可能となる。
【００３５】
本発明のうち第８の態様に係るものは、第１ないし第７のいずれかの態様に係る商品情報検索支援システムであって、データ記憶部は、自身が記憶する一群の商品について、互いに類似商品の関係にある商品の商品名同士を関連づけて、さらに記憶している。そして、商品情報検索支援システムは、類似商品名出力部と、類似商品名選択受付部とをさらに備えている。類似商品名出力部は、ユーザの指示に応答して、前記データ記憶部に記憶されている前記検索対象商品名の商品に類似する商品の商品名を、前記データ記憶部から取得し、前記ブラウザ部に出力させるものである。類似商品名選択受付部は、出力された前記類似商品の商品名の一つのユーザによる選択を受け付け、受け付けた商品名を前記検索対象商品名として前記データ記憶部に記憶させるものである。
【００３６】
この構成によれば、ユーザが入力した商品名の商品に類似する商品の商品名が出力されるので、ユーザは出力された商品名を参照することにより、その一つを容易に選択することができる。ユーザが類似商品の商品名の一つを選択すると、新たな検索対象商品名としてデータ記憶部に記憶されるので、ユーザは、選択した類似商品に関する商品情報を、分散するウェブサイトから容易に検索することが可能となる。
【００３７】
なお、商品名入力受付部あるいは類似商品名選択受付部は、受け付けた商品名を検索対象商品名としてデータ記憶部に記憶させる際に、先に記憶されている商品名があるときに、これを上書きする形態を採ることも可能であり、追加して記憶させることも可能である。後者の場合、データ記憶部に記憶される検索対象商品名が複数となることがある。このとき、アドレス取得部は、商品提供者サイトアクセス指示部がアクセスの指示を受け付けると、最新に記憶された検索対象商品名に関連づけられたアドレスをデータ記憶部から取得する形態を採ることが可能である。あるいは、アドレス取得部は、商品提供者サイトアクセス指示受付部がアクセスの指示を受け付けると、検索対象商品名をブラウザ部に出力させ、ユーザがいずれかを選択する指示を受け付け、指示を受け付けた検索対象商品名に関連づけられたアドレスをデータ記憶部から取得する形態を採ることも可能である。
【００３８】
本発明のうち第９の態様に係るものは、第１ないし第７のいずれかの態様に係る商品情報検索支援システムであって、データ記憶部は、自身が記憶する一群の商品について、互いに類似商品の関係にある商品の商品名同士を関連づけて、さらに記憶するとともに、前記一群の商品の各々の商品名と関連づけて、当該各商品の商品情報から要点を抽出してなる要約を、さらに記憶している。そして、商品情報検索支援システムは、要約出力要求受付部と、要約取得部と、類似商品名選択受付部とを備えている。
【００３９】
要約出力要求受付部は、ユーザによる類似商品の商品情報の要約の出力要求を受け付けるものである。要約取得部は、前記要約出力要求受付部が前記要求を受け付けると、前記データ記憶部に記憶されている前記検索対象商品名に関連づけられた商品情報の要約と、前記検索対象商品名の商品に類似する商品の商品名および当該商品名に関連づけられた商品情報の要約とを前記データ記憶部から取得するものである。要約出力部は、前記検索対象商品名およびその商品情報の要約と前記検索対象商品名の商品の類似商品の商品名およびその商品情報の要約とを互いに対比可能に並べた形式で画面表示させるべく、前記要約取得部が取得した情報を前記ブラウザ部に出力させるものである。類似商品名選択受付部は、出力された前記類似商品の商品名の一つのユーザによる選択を受け付け、受け付けた商品名を前記検索対象商品名として前記データ記憶部に記憶させるものである。
【００４０】
この構成によれば、ユーザが入力した商品名の商品とそれに類似する商品とについて、商品情報の要約が商品間で対比可能な形式で出力されるので、ユーザは出力された要約を互いに対比し参照することにより、その一つを容易に選択することができる。ユーザが類似商品の商品名の一つを選択すると、新たな検索対象商品名としてデータ記憶部に記憶されるので、ユーザは、選択した類似商品に関する商品情報を、分散するウェブサイトから容易に検索することが可能となる。
【００４１】
本発明のうち第１０の態様に係るものは、第１ないし第９のいずれかの態様に係る商品情報検索支援システムであって、データ記憶部は、前記一群の商品名の商品に関する情報を一括して提供する商品情報提供者が開設するウェブサイトのアドレスをさらに記憶している。そして、商品情報検索支援システムは、前記商品情報提供者が開設するウェブサイトへのユーザによるアクセスの指示を受け付ける商品情報提供者サイトアクセス指示受付部を、さらに備えている。また、アドレス取得部は、前記商品情報提供者サイトアクセス指示部がアクセスを受け付けると、前記商品情報提供者が開設するウェブサイトのアドレスを前記データ記憶部から取得するものである。
【００４２】
この構成によれば、一群の商品の商品情報を一括して提供する商品情報提供者が開設するウェブサイトのアドレスがデータ記憶部に記憶されており、ユーザが当該ウェブサイトへのアクセスを指示すると、アドレス取得部が当該ウェブサイトのアドレスをデータ記憶部から取得し、その結果、アドレス受渡部が、取得されたアドレスをブラウザ部へアクセス先として受け渡す。このためユーザは、一群の商品を個別に提供する商品提供者による商品情報だけでなく、一群の商品の商品情報を一括して提供する商品情報提供者による商品情報をも含めて、一元的に検索することができる。特に、商品が医薬品である場合には、基本情報資料を漏れなく検索することも可能となるので、この構成は、商品情報の網羅性が求められる医薬品に対する商品情報検索支援システムとしての利用に特に適する。
【００４３】
本発明のうち第１１の態様に係るものは、第１ないし第１０のいずれかの態様に係る商品情報検索支援システムであって、前記データ記憶部が記憶する前記アドレスの少なくとも一部は、同一サイト内に複数階層のウェブデータを有するウェブサイトの最上階層のウェブデータに対応するアドレスであるものである。
【００４４】
この構成によれば、少なくとも一部のウェブサイトについては、いわゆるトップページからアクセスできるので、目的とする商品情報だけでなく、ウェブサイト開設者の関連情報、例えば使用上の注意などをも参照することができ、それによりウェブサイト開設者の広報目的をも叶えることができる。なお、最上階層のウェブデータから目的の商品情報が提示されるウェブデータまでの移動は、ブラウザ部が本来的に有する当然の機能により、ウェブデータに張られるリンクをユーザが入力装置を用いて辿ることにより達成可能である。
【００４５】
本発明のうち第１２の態様に係るものは、第１１の態様に係る商品情報検索支援システムであって、前記データ記憶部が記憶する前記アドレスの少なくとも一部は、同一サイト内に属する最上階層のウェブデータに対応するアドレスと、それよりも下位階層で且つ商品情報を提示する階層以上のウェブデータに対応するアドレスとを含んでいる。そして、商品情報検索支援システムは、アクセス先として最上階層と下位階層とのいずれのウェブデータを選択するかについてのユーザの指示を受け付ける選択受付部を、さらに備えている。また、アドレス取得部は、前記データ記憶部から取得すべきアドレスとして、同一サイト内の複数階層に属するウェブデータのアドレスが存在するときに、前記選択受付部が受け付けた指示に従ってアドレスを取得するものである。
【００４６】
この構成によれば、少なくとも一部のウェブサイトについては、ユーザの指示に応じて、いわゆるトップページからのアクセスと、より商品情報に近い下位階層のページへのアクセスとが、選択的に実行可能であるので、例えば、初回のアクセスではウェブサイトの関連情報をも参照し、２度目以降のアクセスでは商品情報へのアクセスを急ぎたいという、ユーザの要望に応えることができる。
【００４７】
本発明のうち第１３の態様に係るものは、第１ないし第１１のいずれかの態様に係る商品情報検索支援システムであって、データ記憶部は、前記一群の商品と同一種類の商品であって、前記複数の商品提供者が開設するウェブサイトのいずれにも商品情報が提供されていない商品について、商品名と当該商品の提供者が提供する商品情報とを関連づけて付加情報としてさらに記憶している。そして、商品情報検索支援システムは、前記商品提供者サイトアクセス指示受付部がアクセスの指示を受け付けたときに、前記データ記憶部に記憶されている前記付加情報を参照することにより、前記検索対象商品名に対応する商品情報が存在すれば当該商品情報を取得し、前記ブラウザ部に出力させる付加情報出力部を、さらに備えている。また、アドレス取得部は、前記検索対象商品名に対応する商品情報が前記付加情報に存在しない場合に限り、商品提供者が開設するウェブサイトのアドレスであって、前記データ記憶部に記憶されている前記検索対象商品名に関連づけられたアドレスを、前記データ記憶部から取得するものである。
【００４８】
この構成によれば、商品提供者が開設するウェブサイトに商品情報が提供される一群の商品と同一種類でありながら、複数の商品提供者が開設するウェブサイトのいずれにも商品情報が提供されていない商品について、付加情報を予め作成しデータ記憶部に記憶させておくことにより、ユーザは、複数の商品提供者が開設するウェブサイトにない商品情報を参照することが可能となる。同一種類の一部の商品について商品情報が欠落することは、システムの利用価値を減殺するものであるが、この構成はかかる欠落を補うものであり、システムの利用価値を著しく高める。また、付加情報も商品提供者により提供される一次情報であるため、情報への信頼性を損なうことなく情報の欠落を補うことができる。特に、医薬品情報については医薬品の網羅性が求められ、かつ情報への高度の信頼性が求められるところから、この構成は医薬品に対する商品情報検索支援システムとしての利用に特に適する。
【００４９】
本発明のうち第１４の態様に係るものは、第１ないし第１３のいずれかの態様に係る商品情報検索支援システムであって、データ記憶部は、自身が記憶している商品名のうちの少なくとも一部について、商品名と商品名以外の検索キーワードとを関連づけて、さらに記憶している。そして、商品情報検索支援システムは、検索キーワード出力要求受付部と、検索キーワード出力部とを、さらに備えている。検索キーワード出力要求受付部は、ユーザによる検索キーワードの出力要求を受け付けるものである。検索キーワード出力部は、前記検索キーワード出力要求受付部が、出力要求を受け付けると、前記データ記憶部に記憶されている検索対象商品名に関連づけられた検索キーワードを、前記データ記憶部から取得し、取得した検索キーワードを前記ブラウザ部に出力させるものである。
【００５０】
この構成によれば、ウェブデータが特定の検索キーワードに基づいて商品情報を整理していたり、特定の検索キーワードに基づいて商品情報を検索できるようにしている場合に、ユーザは検索キーワードを出力させ、出力された検索キーワードを参照することにより、商品情報を容易に探し当てることが可能となる。
【００５１】
本発明のうち第１５の態様に係るものは、第１ないし第１４のいずれかの態様に係る商品情報検索支援システムであって、前記商品が医薬品であるものである。
【００５２】
この構成によれば、商品が医薬品であるので、多数のウェブサイトに分散しているために参照することが困難とされていた医薬品情報を、迅速に検索し参照することが可能となる。医薬品では、同一の商品についても、例えば副作用情報が付加されるなど医薬品情報の更新が絶えず行われ、かつ商品情報について高度の信頼性が要求される。この構成は、基本的に商品に関する一次情報をユーザに提供するものであるため、最新かつ信頼性の高い医薬品情報をユーザに提供する。すなわち、この構成は、病院等において信頼性の高い医薬品情報の利用性を飛躍的に高め、医療サービスの質の向上に多大な貢献をなすものである。
【００５３】
本発明のうち第１６の態様に係るものは、商品情報検索支援プログラムであって、指定されたアドレスのウェブサイトにアクセスしてウェブデータをダウンロードし、ダウンロードしたウェブデータを出力するブラウザ部を備えるコンピュータを、データ記憶部と、商品名入力受付部と、商品提供者サイトアクセス指示受付部と、アドレス取得部と、アドレス受渡部として機能させるためのものである。
【００５４】
データ記憶部は、一群の商品を識別する商品名と、前記一群の商品を提供する複数の商品提供者が開設し当該商品の商品情報を提供するウェブサイトのアドレスとを、互いに関連づけて記憶している。商品名入力受付部は、ユーザによる商品名の入力を受け付け、検索対象商品名として前記データ記憶部に記憶させるものである。商品提供者サイトアクセス指示受付部は、前記複数の商品提供者が開設するウェブサイトへのユーザによるアクセスの指示を受け付けるものである。
【００５５】
アドレス取得部は、前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するものである。アドレス受渡部は、前記アドレス取得部が取得したアドレスを前記ブラウザ部へ、アクセス先として受け渡すものである。
【００５６】
この構成によれば、コンピュータに読み込まれることにより、本発明の商品情報検索支援システムの機能が実現し、それにより当該商品情報検索支援システムの効果と同一の効果が得られる。なお、一群の商品は、最少３つの商品である。
【００５７】
本発明のうち第１７の態様に係るものは、商品情報検索支援プログラムであって、指定されたアドレスのウェブサイトにアクセスしてウェブデータをダウンロードし、ダウンロードしたウェブデータを出力するブラウザ部と、一群の商品を識別する商品名と、前記一群の商品を提供する複数の商品提供者が開設し当該商品の商品情報を提供するウェブサイトのアドレスとを、互いに関連づけて記憶しているデータ記憶部と、を備えるコンピュータを、商品名入力受付部と、商品提供者サイトアクセス指示受付部と、アドレス取得部と、アドレス受渡部として機能させるためのものである。
【００５８】
商品名入力受付部は、ユーザによる商品名の入力を受け付け、検索対象商品名として前記データ記憶部に記憶させるものである。商品提供者サイトアクセス指示受付部は、前記複数の商品提供者が開設するウェブサイトへのユーザによるアクセスの指示を受け付けるものである。アドレス取得部は、前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するものである。アドレス受渡部は、前記アドレス取得部が取得したアドレスを前記ブラウザ部へ、アクセス先として受け渡すものである。
【００５９】
この構成によれば、コンピュータに読み込まれることにより、本発明の商品情報検索支援システムの機能が実現し、それにより当該商品情報検索支援システムの効果と同一の効果が得られる。なお、一群の商品は、最少３つの商品である。
【００６０】
本発明のうち第１８の態様に係るものは、商品情報検索支援プログラムであって、指定されたアドレスのウェブサイトにアクセスしてウェブデータをダウンロードし、ダウンロードしたウェブデータを出力するブラウザ部を備える端末装置に接続可能なコンピュータを、データ記憶部と、商品名入力受付部と、商品提供者サイトアクセス指示受付部と、アドレス取得部と、アドレス受渡部として機能させるためのものである。
【００６１】
データ記憶部は、一群の商品を識別する商品名と、前記一群の商品を提供する複数の商品提供者が開設し当該商品の商品情報を提供するウェブサイトのアドレスとを、互いに関連づけて記憶している。商品名入力受付部は、ユーザによる商品名の入力を受け付け、検索対象商品名として前記データ記憶部に記憶させるものである。商品提供者サイトアクセス指示受付部は、前記複数の商品提供者が開設するウェブサイトへのユーザによるアクセスの指示を受け付けるものである。
【００６２】
アドレス取得部は、前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するものである。アドレス受渡部は、前記アドレス取得部が取得したアドレスを前記ブラウザ部へ、アクセス先として受け渡すものである。
【００６３】
この構成によれば、コンピュータに読み込まれることにより、本発明の商品情報検索支援システムの機能が実現し、それにより当該商品情報検索支援システムの効果と同一の効果が得られる。なお、一群の商品は、最少３つの商品である。
【００６４】
本発明のうち第１９の態様に係るものは、商品情報検索支援プログラムであって、指定されたアドレスのウェブサイトにアクセスしてウェブデータをダウンロードし、ダウンロードしたウェブデータを出力するブラウザ部を備える端末装置に接続可能で、一群の商品を識別する商品名と、前記一群の商品を提供する複数の商品提供者が開設し当該商品の商品情報を提供するウェブサイトのアドレスとを、互いに関連づけて記憶しているデータ記憶部を備えるコンピュータを、商品名入力受付部と、商品提供者サイトアクセス指示受付部と、アドレス取得部と、アドレス受渡部として機能させるためのものである。
【００６５】
商品名入力受付部は、ユーザによる商品名の入力を受け付け、検索対象商品名として前記データ記憶部に記憶させるものである。商品提供者サイトアクセス指示受付部は、前記複数の商品提供者が開設するウェブサイトへのユーザによるアクセスの指示を受け付けるものである。アドレス取得部は、前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するものである。アドレス受渡部は、前記アドレス取得部が取得したアドレスを前記ブラウザ部へ、アクセス先として受け渡すものである。
【００６６】
この構成によれば、コンピュータに読み込まれることにより、本発明の商品情報検索支援システムの機能が実現し、それにより当該商品情報検索支援システムの効果と同一の効果が得られる。なお、一群の商品は、最少３つの商品である。
【００６７】
本発明のうち第２０の態様に係るものは、第１ないし第１９のいずれかの態様に係る商品情報検索支援プログラムを記録したコンピュータ読み取り可能な商品情報検索支援プログラム記録媒体である。
【００６８】
この構成によれば、コンピュータに読み込まれることにより、本発明の商品情報検索支援システムの機能が実現し、それにより当該商品情報検索支援システムの効果と同一の効果が得られる。
【発明の効果】
【００６９】
以上のように本発明によれば、複数のウェブサイトに分散する商品情報、ウェブサイト内の探索が困難な商品情報、および関連商品についての信頼性の高い商品情報を、信頼性を保ちつつ迅速かつ容易に検索することが可能となる。
【発明を実施するための最良の形態】
【００７０】
（１．システムの構成）
図１は、本発明の実施の形態による商品情報検索支援システムの構成を示すブロック図である。本発明の実施の形態による商品情報検索支援システムは、商品情報のうち特に医薬品の商品情報、すなわち医薬品情報の検索を支援するシステムとして構築されており、例えば、医薬品情報検索支援システム１０１〜１０５の５通りの構成を採る。医薬品情報検索支援システム１０１、１０２、１０３および端末装置１ｂ、１ｃは何れも、病院内に設置して用いられるほか、薬局、一般家庭にも設置される。医師、看護師、薬剤師などの医療従事者のみならず、患者やその家族などの一般人、さらには医学生、薬学生と幅広い利用者に、医薬品に関する情報の入手を支援し、それによって、医療過誤、医療ミスを防止し、医療の向上に資するものである。
【００７１】
医薬品情報検索支援システム１０１は、端末装置として構成されている。すなわち、医薬品情報検索支援システム１０１は、端末本体１ａと、データベース１０とプログラム２とを有している。ここで、データベース１０とプログラム２は、例えばハードディスク等の記憶媒体に記憶されるデータおよびプログラムのうち、それぞれデータベースとアプリケーションプログラムとを、便宜上分けて表したものである。すなわち、端末本体１ａは、汎用のプログラムを搭載した汎用のパーソナルコンピュータなどの端末装置そのものである。
【００７２】
医薬品情報検索支援システム１０１は、インターネット５に接続されることにより、医薬品情報をアップロードして提供するウェブサーバ９ａ〜９ｅにアクセスすることが可能となっている。端末本体１ａは、ウェブサーバ９ａ〜９ｅにアクセスしてウェブデータをダウンロードするブラウザを搭載している。
【００７３】
ウェブサーバ９ａ〜９ｅはそれぞれ、アップロードしたウェブデータやその元になるデータを蓄積したデータベース部８ａ〜８ｅ、およびサーバ本体７ａ〜７ｅを有している。端末本体１ａについて述べたところと同様に、サーバ本体７ａ〜７ｅはいずれも、汎用のウェブサーバコンピュータなどのサーバ装置そのものである。
【００７４】
医薬品情報検索支援システム１０２は、端末装置１ｂ、サーバとしての医薬品情報検索支援システム１０３、およびそれらを接続するＬＡＮ（Local Area Network）６を有している。ＬＡＮ６は、ルータを通じてインターネット５に接続されている。医薬品情報検索支援システム１０３は、サーバ本体４，データベース１０、およびプログラム２を有している。サーバ本体４は、汎用のウェブサーバコンピュータなどのサーバ装置そのものである。端末装置１ｂは、ブラウザを搭載しており、ＬＡＮ６を通じて医薬品情報検索支援システム１０３にアクセスすることにより検索支援を受けつつ、ウェブサーバ９ａ〜９ｅにアップロードされている医薬品情報等のウェブデータを、インターネット５を通じてダウンロードすることが可能となっている。
【００７５】
医薬品情報検索支援システム１０４は、医薬品情報検索支援システム１０３と同様にサーバとして構築されているが、医薬品情報検索支援システム１０３とは異なりインターネット５に接続されている。サーバ本体３も、サーバ本体４と同様に、汎用のウェブサーバコンピュータなどのサーバ装置そのものである。汎用の端末装置１ｃは、インターネット５に接続されることにより医薬品情報検索支援システム１０４にアクセスし、それによって検索支援を受けつつ、ウェブサーバ９ａ〜９ｅにアップロードされている医薬品情報等のウェブデータを、インターネット５を通じてダウンロードすることが可能となっている。端末装置１ｃ、医薬品情報検索支援システム１０４、およびそれらを接続するインターネット５は、もう一つの医薬品情報検索支援システム１０５を構成する。
【００７６】
図２は、医薬品情報検索支援システム１０１のハードウェア構成を示すブロック図である。端末本体１ａ、端末装置１ｂおよび１ｃ、ならびに医薬品情報検索支援システム１０３および１０４の構成も、同様に図示される。医薬品情報検索支援システム１０１は、コンピュータとして構成されており、主要回路部１２、入力装置１１、表示装置１３及びハードディスク装置（ＨＤＤ）１４を有している。また、主要回路部１２は、ＣＰＵ（Central Processing Unit；中央演算処理部）２１、ＲＯＭ（Read
Only Memory）２２、ＲＡＭ（Random Access Memory）２３、インタフェース（Ｉ／Ｆ）２４、及び読取装置２５を有している。
【００７７】
ＣＰＵ２１は、ＲＯＭ２２及びＲＡＭ２３に格納されたプログラムを実行する。ＲＯＭ２２には、例えば、医薬品情報検索支援システム１０１の立ち上げ直後にＯＳ（Operating System）の起動やハードウェアの設定を行うＢＩＯＳ（Basic
Input Output System）が格納されている。ＲＡＭ２３には、ハードディスク装置１４に保存されているＯＳ、アプリケーション等が必要に応じて展開され、ＣＰＵ２１による実行に供される。ＲＡＭ２３は、ＣＰＵ２１が処理を実行する際に生成されるデータを、一時的に格納するワークメモリとしても用いられる。
【００７８】
インタフェース（Ｉ／Ｆ）２４は、不図示のＩＤＥ（Integrated Device Electronics）コントローラ、ＬＡＮコントローラ、レガシー入出力コントローラなどを有しており、これらの回路を通じて、入力装置１１等の外部装置がＣＰＵ２１に接続される。ＣＰＵ２１、ＲＯＭ２２、ＲＡＭ２３及びインタフェース２４は、バスライン２６を通じて互いに接続されている。
【００７９】
入力装置１１は、例えばキーボード、マウスなどを含み、操作者が手操作によりデータを入力するための装置である。表示装置１３は、例えばＬＣＤ（Liquid Crystal Display）装置であり、画像データを目視可能な画像として表示する装置である。ハードディスク装置１４は、ＯＳ、アプリケーション等を格納すると共に、検索支援に要するデータベース１０を格納する。読取装置２５は、プログラムやデータを記録したＣＤ−ＲＯＭ等の記録媒体２７から、記録された内容を読み取る装置である。医薬品情報検索支援システム１０１は、例えばＬＡＮ１５を通じてインターネット５に接続され、ＴＣＰ／ＩＰプロトコルによる通信を実現する。ＬＡＮ１５は、インタフェース２４に含まれているＬＡＮコントローラを通じてバスライン２６に接続される。
【００８０】
図３は、端末本体１ａが検索可能な医薬品情報とその在処を示すブロック図である。端末本体１ａのみならず端末装置１ｂおよび１ｃも、同様の医薬品情報を検索可能である。検索可能な医薬品情報には、基本情報資料３０、類薬情報資料４０および実用情報資料５０が含まれる。基本情報資料３０は、医薬品情報のいわば一次情報であり、添付文書３１、インタビューフォーム３２、総合製品情報概要３３、申請資料概要・審査報告書３５、および文献・研究報告書３６を含んでいる。添付文書３１は、公的機関が自身のウェブサイトに公開している資料である。これに対して、インタビューフォーム３２および総合製品情報概要３３は、医薬品ごとにその製薬企業が自社のウェブサイトに公開している資料である。申請資料概要・審査報告書３５は、添付文書３１と同様に、公的機関が自身のウェブサイトに公開している資料である。文献・研究報告書３６は、諸機関が、紙ベースで保有しその複製物を提供している資料である。
【００８１】
インタビューフォームおよび総合製品情報概要の中には、ウェブサイトに公開されておらず、製薬企業が紙媒体３４の形式で提供しているものも存在する。紙媒体３４は、インターネット５を介することなくＰＤＦファイル等の電子データの形式で、ユーザからの申込みに応じて個別に提供される資料をも含んでいる。図３において、インタビューフォーム３２および総合製品情報概要３３は、インタビューフォームおよび総合製品情報概要のうち、ウェブサイトに公開されているものを指している。基本情報資料３０のうち、文献・研究報告書３６および紙媒体３４については、端末本体１ａ等は直接には取得することはできない。
【００８２】
類薬情報資料４０には、同種同効医薬品４１、後発医薬品４２、補完インタビューフォーム４３、補完総合製品情報概要４４および文献・研究報告書概要４５が含まれる。これらの資料４１〜４５は、データベース１０内に置かれるもので、基本情報資料３０にもとづいて、データベース１０の構築者によって複製され、電子データに変換され、あるいは加工されたものである。
【００８３】
同種同効医薬品４１は、添付文書３１等の情報から要点を抽出してなる要約を、互いに同種同効の関係にある医薬品の間で対比可能に表示するための資料である。また、後発医薬品４２は、添付文書３１等の情報から要点を抽出してなる要約を、先発・後発の関係にある医薬品の間で互いに対比可能に表示するための資料である。したがって、同種同効医薬品４１および後発医薬品４２は、同種同効の関係にある医薬品同士を関連づけたテーブルと、先発・後発の関係にある医薬品同士を関連づけたテーブルと、医薬品ごとにその要約を関連づけたテーブルとを含んでおり、両者は不可分である。これらの同種同効医薬品４１および後発医薬品４２は、データベース１０の構築者によって作成される。
【００８４】
補完インタビューフォーム４３は、紙媒体３４により個別に提供されるインタビューフォームを電子データの形式でデータベース１０に蓄積したものである。同様に、補完総合製品情報概要４４は、紙媒体３４により個別に提供される総合製品情報概要を電子データの形式でデータベース１０に蓄積したものである。また、文献・研究報告書概要４５は、紙媒体で提供される文献・研究報告書３６の情報から要点を抽出してなる要約を、電子データの形式でデータベース１０に蓄積したものである。これらの補完資料４３、４４および文献・研究報告書概要４５は、データベース１０の構築者が、紙媒体３４等による情報を個別に収集し、複製したり電子データへ変換したりすることによって作成される。
【００８５】
補完インタビューフォーム４３および補完総合製品情報概要４４は、インタビューフォームおよび総合製品情報概要のうち、インターネット５を通じて取得することのできないいわば欠落部分を、データベース１０内に取り込むことによって補完するものである。それによって端末本体１ａは、すべての医薬品について、インタビューフォームおよび補完総合製品情報概要を、ウェブサイト上のインタビューフォーム３２および総合製品情報概要３３と同様に取得することが可能となる。また、文献・研究報告書概要４５は、端末本体１ａが、本来紙媒体でのみ提供される文献・研究報告書３６を、ウェブサイト上の情報と同様に取得することを可能にする。このように、補完資料４３〜４５によって、端末本体１ａは、すべての医薬品について、すべての基本情報を、ウェブサイト上の情報と同様に、取得することが可能となっている。
【００８６】
実用情報資料５０は、治療の場面で有用な情報を提供するもので、くすりのしおり５１、診断と治療５３および医学百科５２を含んでいる。これらの資料５１〜５３は、インターネット５上のウェブサイトに個別に公開されている。くすりのしおり５１は、くすりの適正使用協議会が作成し自身のウェブサイトにアップロードしている医薬品情報であり、患者や介護者等の一般人向けに編集されたものである。診断と治療５３は、米国で１００年以上の歴史をもって編集が続けられている「メルクマニュアル」の日本語訳であり、万有製薬株式会社が自社のウェブサイト上にアップロードしているものである。診断と治療５３は、主として医師等の医療従事者の利用に供される。医学百科５２は、専門家向けの情報である診断と治療５３を一般人向けに編集したものであり、万有製薬株式会社が自社のウェブサイト上にアップロードしているものである。
【００８７】
図４は、医薬品情報検索支援システム１０１のソフトウェア構成の一例を模式的に示す説明図である。医薬品情報検索支援システム１０１には、ＯＳ６０、ブラウザ６１、アプリケーションプログラム（以下、アプリケーション）６２（または２）、ＤＢＭＳ（DataBase Management System；データベース管理システム）６３およびデータベース１０が搭載されている。
【００８８】
ＯＳ６０は、その上で動作するブラウザ６１、アプリケーション６２（または２）およびＤＢＭＳ６３などの実行管理や、周辺機器の制御等を行う汎用の制御プログラムである。ＯＳ６０の例として、“Linux（登録商標）”や “Windows（登録商標）”が挙げられる。ブラウザ６１は、指定されたＵＲＬ（Uniform Resource Locator）へ、ＨＴＭＬ（Hyper Text
Markup Language）或いはＸＭＬ（eXtensible Markup Language）等で記述されたファイルを要求し、受信したＨＴＭＬファイル等に記述された言語を解読し、当該言語に基づいて画像を表示したり、ＨＴＭＬファイル等に貼り付けられたスクリプトやアプレットという小型のアプリケーションを実行したりする汎用のプログラムである。ブラウザ６１の例として、“Microsoft”社の “Internet Explorer”を挙げることができる。
【００８９】
アプリケーション６２は、医薬品情報検索支援システム１０１に特有の検索支援処理を実現するアプリケーションレベルのプログラムであり、図１に示したプログラム２に該当する。アプリケーション６２が実現する特有の処理については、後に詳述する。データベース１０は、図３に一部記載し、後に詳述するように、医薬品情報の検索支援を実現するための各種のデータを蓄積したものであり、ハードディスク装置１４（図２）に格納されている。ＤＢＭＳ６３は、アプリケーション６２の指示に従って、データベース１０を操作する汎用のプログラムである。ＤＢＭＳ６３の例として、“MySQL（登録商標）”を挙げることができる。
【００９０】
アプリケーション６２は、本発明の商品情報検索支援プログラムの一実施形態に該当する。また、アプリケーション６２にデータベース１０を含めたプログラムも、本発明の商品情報検索支援プログラムの一実施形態に該当する。アプリケーション６２およびデータベース１０は、ＣＤ−ＲＯＭ等の記録媒体２７（図２）を通じて供給することも、ＬＡＮ１５やインターネット５等の伝送媒体を通じて供給することも可能である。アプリケーション６２を記録した記録媒体２７、あるいはさらにデータベース１０をも記録した記録媒体２７は、本発明の商品情報検索支援プログラム記録媒体の一実施形態に該当する。アプリケーション６２だけでなく、ＯＳ６１あるいはＤＢＭＳ６３等の他のプログラムも、同様の経路で供給することが可能である。
【００９１】
記録媒体２７等に記録されたプログラムは、読取装置２５を通じて端末本体１ａに読み込まれ、ハードディスク装置１４へ格納される。ＬＡＮ６，１５等の伝送媒体を通じて供給されるプログラムは、インタフェース２４を通じて受信され、ハードディスク装置１４に格納される。伝送媒体は、有線の伝送媒体に限られず、無線の伝送媒体であっても良い。また、伝送媒体は通信線路のみでなく、例えばルータなど、通信線路を中継する中継装置をも含む。
【００９２】
図５は、端末装置１ｃおよび医薬品情報検索支援システム１０４のソフトウェア構成の一例を模式的に示す説明図である。端末装置１ｂおよび医薬品情報検索支援システム１０３のソフトウェア構成も、同様に図示される。端末装置１ｃには、汎用のＯＳ６０および汎用のブラウザ６１が搭載されている。ウェブサーバとして機能する医薬品情報検索支援システム１０４には、汎用のＯＳ６６、汎用のＷＥＢ（ウェブ）サーバソフトウェア６７、アプリケーションプログラム（以下、アプリケーション）６８、汎用のＤＢＭＳ６３、およびデータベース１０が搭載されている。
【００９３】
ＯＳ６６は、ウェブサーバとしての機能を有する医薬品情報検索支援システム１０４の制御プログラムであり、ネットワークＯＳが用いられる。ネットワークＯＳの例として、既述の“Linux”が挙げられる。ＷＥＢサーバソフトウェア６７は、ＷＥＢサーバ機能を実現するためのソフトウェアである。ＷＥＢサーバソフトウェア６７の例として、
“Linux”の上で動作する“Apache”を挙げることができる。
【００９４】
アプリケーション６８は、ブラウザ６１からの要求に応じて、医薬品情報検索支援システム１０４に特有の検索支援処理を実現するアプリケーションである。アプリケーション６８は、例えば、ＣＧＩ（Common Gateway Interface）又はサーバサイドスクリプトなどのインタフェースプログラムを含んでいる。ＣＧＩとして、例えば“Perl”（Practical Extraction and Report
Language）を挙げることができる。また、サーバサイドスクリプトとして、例えば“PHP”（Hypertext Preprocessor）が挙げられる。汎用のプログラムであるＤＢＭＳ６３は、アプリケーション６８の指示に従って、データベース１０を操作する。
【００９５】
アプリケーション６８、あるいはアプリケーション６８から汎用インタープリタ“Perl”等の汎用プログラムを除いた部分は、本発明の商品情報検索支援プログラムの一実施形態に該当する。また、それらにデータベース１０を含めたプログラムも、本発明の商品情報検索支援プログラムの一実施形態に該当する。それらのプログラムは、ＣＤ−ＲＯＭ等の記録媒体２７（図２）を通じて供給することも、ＬＡＮ１５やインターネット５等の伝送媒体を通じて供給することも可能である。それらのプログラムを記録した記録媒体２７は、本発明の商品情報検索支援プログラム記録媒体の一実施形態に該当する。
【００９６】
図６は、端末装置１ｃとウェブサーバとしての医薬品情報検索支援システム１０４とが、インターネット５によって接続されて成る医薬品情報検索支援システム１０５の構成を、機能に基づいて示すブロック図である。ブラウザ部７０は、ブラウザ６１がコンピュータに読み込まれることにより、コンピュータのハードウェア資源と協働することによって実現する端末装置１ｃの機能に対応する。構成要素７０〜９６は、データベース１０を含むアプリケーション２がコンピュータに読み込まれることにより、コンピュータのハードウェア資源と協働することによって実現する医薬品情報検索支援システム１０４に特有の機能に対応している。
【００９７】
なお、医薬品情報検索支援システム１０１の構成は、入力装置１１およびブラウザ部７０と、構成要素７２〜９６との間にインターネット５が介在しない点を除いて、図６と同様に表される。同様に、医薬品情報検索支援システム１０２の構成は、インターネット５に代えてＬＡＮ６が介在する点を除いて、図６と同様に表される。
【００９８】
図６に示すように、医薬品情報検索支援システム１０４は、データ記憶部７１、入力受付部７２および出力部９５を備えている。データ記憶部７１は、データベース１０を含むデータを記憶する構成要素であり、例えばＨＤＤ装置１４によって実現される。
【００９９】
入力受付部７２は、入力装置１１あるいはブラウザ部７０から命令やデータの入力を受け付けるとともに、受け付けた命令やデータに基づいて処理を行う構成要素である。また、出力部９５は、ブラウザ部７０へ命令やデータを出力したり、出力の前に必要な処理を行ったりする構成要素である。
【０１００】
入力受付部７２および出力部９５とブラウザ部７０との間で行われる命令やデータのやり取りは、ＨＴＭＬファイルに命令（ＵＲＬやプログラムなど）を貼り付けておき、これを出力部９５からブラウザ部７０へ受け渡すことによって実現することも可能である。例えば、ＨＴＭＬファイルを受け取ったブラウザ部７０は、ユーザによる入力装置１１の操作に基づいて、ＨＴＭＬファイルに貼り付けられている特定のＵＲＬやプログラムを選択し、その結果、特定のウェブサイトにアクセスしたり、所定の処理を行ったりすることができる。
【０１０１】
入力受付部７２は、商品名入力受付部７３、商品提供者サイトアクセス指示受付部７４、認証データ入力部７５、商品情報提供者サイトアクセス指示受付部７７、選択受付部７８、類似商品名選択受付部７９、要約出力要求受付部８０、および検索キーワード出力要求受付部８１を備えている。また、出力部９５は、認証データ出力部７６、検索キーワード出力部８２、付加情報出力部８３、要約出力部８４、類似商品名出力部８５、ガイド情報取得部８６、ガイド情報出力部８７、商品名出力部８８、商品名自動入力部８９、商品名入力欄判定部９０、認証データ自動入力部９１、認証データ入力欄判定部９２、アドレス取得部９３、アドレス受渡部９４、および要約取得部９６を備えている。
【０１０２】
医薬品情報検索支援システム１０５の構成要素７０〜９６の機能については、フローチャートを参照しつつ行う動作説明の中で同時に説明する。
【０１０３】
（２．データベースの構成）
図７〜図２０は、データベース１０として予め準備される一群のテーブルの例を概念的に示す概念図である。データベース１０は、各種の項目（属性）を相互に関連づけて記憶する点を本質とするものである。したがって、図７〜図２０に示す一群のテーブルは、項目同士の関係を変えることなく、例えば正規化を進めるなどにより、別の一群のテーブルに置き換えることも可能である。この意味においても、図７から図２０は、データベース１０の構成の一例に過ぎない。
【０１０４】
図７に示すテーブル２０１は、医薬品に関する項目からなる医薬品マスタテーブルであり、商品名、一般名、企業識別符号（以下、企業ＩＤ）、薬効分類および識別コードを、互いに関連づけて格納している。ここで商品名は、医薬品の商品名であり、医薬品を唯一に特定することのできる名称である。商品名とともに、医薬品を唯一に特定する商品識別符号（商品ＩＤ）を格納しても良く、この場合には、他のテーブルに格納される商品名は、商品ＩＤに置き換えても良い。テーブル２０１は、１０，０００を超える医薬品に対応して、１０，０００を超える行（タプル）を有する。一般名は、医薬品の一般名称である。企業ＩＤは、医薬品の製薬企業を唯一に特定する識別符号であり、データベース１０の構築者により任意に付与することができる。薬効分類は、日本標準商品分類番号のうちの大分類と薬効分類とに該当する番号であり、例えば、解熱鎮痛消炎剤であるアスピリンに付与されている「８７１１４」を意味する。識別コードは、医薬品を識別するために錠剤等に刻印される符号である。テーブル２０１は、例えば、後述するテーブル２０２とともに、ユーザが入力した商品名の医薬品のインタビューフォームを公開する製薬企業のウェブサイトに、自動アクセスするのに用いられる。
【０１０５】
図８に示すテーブル２０２は、製薬企業に関する項目からなる製薬企業マスタテーブルであり、企業ＩＤ、企業名、およびウェブページのアドレスであるＵＲＬを、互いに関連づけて格納している。企業名は企業の名称であり、ＵＲＬは対応する企業が開設するウェブサイトのトップページから医薬品情報が置かれるページまでの各ページの一部または全部のＵＲＬである。図８の例では、トップページを含む３階層のページのＵＲＬが格納されている。製薬企業の数は１００を超えており、それに対応して、テーブル２０２は１００を超える行を有する。
【０１０６】
図９に示すテーブル２０３は、補完インタビューフォーム４３および補完総合製品情報概要４４としてデータベース１０に蓄積される補完資料に関する項目からなるテーブルである。テーブル２０３は、商品名、補完インタビューフォームを記録したＰＤＦファイルの名称、その作成／改訂年月、補完総合製品情報概要を記録したＰＤＦファイルの名称、その作成／改訂年月を、互いに関連づけて格納している。テーブル２０３は、各商品名の医薬品について補完資料があるか否かを判別し、補完資料がある場合にはそのファイル名と作成／改訂年月を表示するのに用いられる。なお、テーブル２０３を準備する代わりに、テーブル２０３の補完資料に関する項目をテーブル２０１に追加しても良い。
【０１０７】
図１０に示すテーブル２０４は、製薬企業、公的機関などが開設するウェブサイト内で、医薬情報の在処を探索するための操作手順を案内するためのガイド情報を、ウェブページのＵＲＬと関連づけて格納するものである。後述するように、テーブル２０４に格納されるＵＲＬにブラウザ部７０がアクセスする毎に、対応するガイド情報がウェブデータと同時並列に表示される。図１０の上３行に例示するように、一つのウェブページ（図１０の例ではトップページ）からその下位階層のページ毎に、ＵＲＬに対応づけてガイド情報が準備されても良い。この場合、ユーザの操作によりブラウザ部７０が表示するウェブページが、それら複数層の間で変わる毎に、対応するガイド情報がテーブル２０４から読み出されて表示される。一方、第４行に例示するように、一つのウェブページ（図１０の例ではトップページ）のＵＲＬに、その下位階層を含めた複数層のウェブページのガイド情報を関連づけて格納しても良い。この場合、ユーザの操作によりブラウザ部７０が表示するウェブページが、それら複数層の間で変わっても、テーブル２０４に格納される別のＵＲＬのウェブページを閲覧するまでは、これら複数層分のガイド情報が同時に表示されることとなる。
【０１０８】
図１１に示すテーブル２０５は、製薬企業が開設するウェブサイトへのアクセスを許可するための本人認証データを、企業ＩＤと関連づけて格納するものである。図１１の例では、本人認証データは、製薬企業に登録された会員ＩＤとパスワードである。テーブル２０５は、本人認証データの自動入力を実行するのに用いられる。なお、テーブル２０５を準備する代わりに、テーブル２０５の本人認証データに関する項目をテーブル２０２に追加しても良い。
【０１０９】
図１２に示すテーブル２０６は、ユーザに本人認証データの入力を求める認証データ入力欄を表示するウェブページのＵＲＬと、認証データ入力欄の表示位置などの認証データ入力欄情報とを、関連づけて格納するものである。テーブル２０６は、テーブル２０２とともに、本人認証データを自動入力する際に、入力すべき認証データ入力欄を識別するのに用いられる。
【０１１０】
図１３に示すテーブル２０７は、医薬品の商品名とその承認年月とを関連づけて格納するものである。テーブル２０７は、公的機関が開設するウェブサイト内で申請資料概要・審査報告書３５を検索する際に、目的とする医薬品の承認年月を表示することで、検索を支援するのに用いられる。
【０１１１】
図１４に示すテーブル２０８は、ユーザに商品名の入力を求める商品名入力欄を表示するウェブページのＵＲＬと、商品名入力欄の表示位置などの商品名入力欄情報とを、関連づけて格納するものである。テーブル２０８は、テーブル２０２とともに、商品名を自動入力する際に、入力すべき商品名入力欄を識別するのに用いられる。
【０１１２】
図１５に示すテーブル２０９は、互いに同種同効の関係にある医薬品の商品名を、互いに関連づけて格納するものである。テーブル２０９は、検索の対象として既に入力されている商品名の医薬品と同種同効の関係にある医薬品の商品名を表示し、新たな検索対象としてユーザに選択させるのに用いられる。
【０１１３】
図１６に示すテーブル２１０は、互いに先発・後発の関係にある医薬品の商品名を、互いに関連づけて格納するものである。テーブル２１０は、検索の対象として既に入力されている商品名の医薬品と先発・後発の関係にある医薬品の商品名を表示し、新たな検索対象としてユーザに選択させるのに用いられる。
【０１１４】
図１７に示すテーブル２１１は、各医薬品について、添付文書等の医薬品情報から要点を抽出してなる要約を格納するものである。より詳細には、要約を構成する項目である医薬品の剤型、効能・効果、用法・用量、薬物動態、使用上の注意、および特徴が、商品名に関連づけて格納されている。
【０１１５】
テーブル２１１は、テーブル２０９と組み合わせることにより、図１８に示すテーブル２１２を作成して表示するのに用いられる。テーブル２１２は、検索の対象として既に入力されている商品名の医薬品と同種同効の関係にある医薬品との間で互いに対比可能な形式で、要約を表示するものである。テーブル２１１はまた、テーブル２１０と組み合わせることにより、図１９に示すテーブル２１３を作成して表示するのにも用いられる。テーブル２１３は、検索の対象として既に入力されている商品名の医薬品と先発・後発の関係にある医薬品との間で互いに対比可能な形式で、要約を表示するものである。
【０１１６】
テーブル２１２および２１３は、テーブル２０９および２１０とテーブル２１１とを組み合わせて生成するのではなく、データベース１０として予め作成しておいても良い。また、テーブル２１１を準備する代わりに、テーブル２１１の要約を構成する剤型、効能・効果などの項目をテーブル２０１に追加しても良い。
【０１１７】
図２０に示すテーブル２１４は、添付文書３１、申請資料概要・審査報告書３５、くすりのしおり５１、診断と治療５３および医学百科５２のように、医薬品情報を集約した資料をウェブサイトに公開する公的機関等に関する項目からなる機関マスタテーブルである。テーブル２１４は、機関識別符号（以下、機関ＩＤ）、機関名およびウェブページのＵＲＬを、互いに関連づけて格納している。機関ＩＤは、上記の医薬品情報を公開する機関を唯一に特定する識別符号であり、データベース１０の構築者により任意に付与することができる。機関名は機関の名称であり、ウェブページのＵＲＬは、対応する機関が開設するウェブサイトのトップページから医薬品情報が置かれるページまでの各ページの一部または全部のＵＲＬである。図２０の例では、トップページを含む３階層ないしそれ以上のページのＵＲＬが格納されている。
【０１１８】
（３．システムの動作）
（３．１  インタビューフォームの一般検索の例）
以下、フローチャートと画面図を参照しつつ、また既に述べた図１〜２０を適宜参照しつつ医薬品情報検索支援システム１０５の動作について説明する。以下に述べる動作は、システム１０１および１０２においても同様である。
【０１１９】
図２１は、端末装置１ｃのユーザが、医薬品情報検索支援システム１０４を利用しつつ医薬品情報を検索する際の操作手順の一例を示すフローチャートであり、特にインタビューフォーム３２を検索する際の手順を示している。ユーザが、インターネット５を通じて端末装置１ｃを医薬品情報検索支援システム１０４に接続するところから、図２１の手順が始まる。端末装置１ｃが医薬品情報検索支援システム１０４に接続されると、端末装置１ｃの表示装置１３には、図２２に示すメニュー画面１７０が表示される。メニュー画面１７０の表示は、出力部９５がＨＴＭＬファイルを作成してブラウザ部７０に送信することにより達成される。
【０１２０】
より詳細に述べると、医薬品情報検索支援システム１０４を使用するには、ユーザは端末装置１ｃを立ち上げた後、ブラウザ６１を立ち上げ、医薬品情報検索支援システム１０４のＵＲＬを入力する。或いはユーザが、リンクの張られた医薬品情報検索支援システム１０４のＵＲＬの表示をマウス等でクリックすることによって、端末装置１ｃが自動的にブラウザ６１を立ち上げる。それにより、端末装置１ｃから医薬品情報検索支援システム１０４へのアクセスが行われる。すなわち、ブラウザ部７０が、医薬品情報検索支援システム１０４に対してＨＴＭＬファイルを要求する。入力受付部７２は、該要求を受信すると、これに応答して、メニュー画面１７０を表示するＨＴＭＬファイルを出力部９５に生成させる。出力部９５は、生成したＨＴＭＬファイルをブラウザ部７０へ送信する。ブラウザ部７０は、該ＨＴＭＬファイルを受信すると、該ＨＴＭＬファイルを解読することによりメニュー画面１７０を表示装置１３へ表示する。
【０１２１】
出力部９５は、メニュー画面１７０の前に、医薬品情報検索支援システム１０４がユーザに予め付与したユーザ識別符号（ユーザＩＤ）とパスワードとの入力を、ユーザに求めるログイン画面を表示するＨＴＭＬファイルを、ブラウザ部７０へ送信しても良い。この場合、入力受付部７２は、ユーザが入力したユーザＩＤおよびパスワードを受信し、予めデータベース１０に登録されているものと一致すると判断した場合に限り、出力部９５にメニュー画面１７０を送信させる。
【０１２２】
図２２に示すように、メニュー画面１７０には、医薬品情報検索支援システム１０４が果たすべき主要な機能の種類、いわゆるメインメニューを選択するためのボタンが表示されている。メニュー画面１７０を表示するＨＴＭＬファイルには、出力部９５によって、これらのボタンに関連づけてＵＲＬやプログラムが貼り付けられている。すなわち、ユーザがいずれかのボタンをクリックすると、ブラウザ部７０は当該ボタンに関連づけられたＵＲＬやプログラムにしたがって、アクセスや所定の処理を実行する。このことを、便宜上、ＵＲＬやプログラムが「ボタンに貼り付けられている」と記載する。
【０１２３】
より詳細に述べると、メニュー画面１７０には、検索対象とする医薬品の商品名等を入力するための検索対象入力欄１８０が表示される。検索対象入力欄１８０には、商品名を入力するための商品名入力欄１８１と、識別コードを入力するための識別コード入力欄１８２とが、ＧＵＩ（Graphical User Interface）部品としてのテキストボックスの形態で表示される。
【０１２４】
メニュー画面１７０にはさらに、各資料を検索するためのボタンが表示されている。添付文書検索ボタン１７１は、添付文書の検索を選択するためのボタンである。インタビューフォーム検索ボタン１７２は、インタビューフォームの検索を選択するためのボタンである。総合製品情報概要検索ボタン１７３は、総合製品情報概要の検索を選択するためのボタンである。申請資料概要検索ボタン１７４は、申請資料概要・審査報告書の検索を選択するためのボタンである。文献・研究報告書検索ボタン１８３は、文献・研究報告書の検索を選択するためのボタンである。同種同効医薬品表示ボタン１７５は、検索対象となる医薬品と同種同効の関係にある医薬品について要約を表示させるためのボタンである。後発医薬品表示ボタン１７６は、検索対象となる医薬品と先発・後発の関係にある医薬品について要約を表示させるためのボタンである。診断と治療検索ボタン１７７は、診断と治療の検索を選択するためのボタンである。医学百科検索ボタン１７８は、医学百科の検索を選択するためのボタンである。また、くすりのしおり検索ボタン１７９は、「くすりのしおり」の検索を選択するためのボタンである。
【０１２５】
例えば添付文書検索ボタン１７１など、一つの資料の検索を選択するボタンとして左右一対のボタンが並んで配置されているものがある。左右一対のボタンが並ぶものについては、右側のボタンは資料を公開するウェブサイトのトップページにアクセスすること（「一般検索」と仮称する）を選択するためのボタンであり、左側のボタンは資料が置かれているページにより近い下層のページに直接にアクセスすること（「常時検索」と仮称する）を選択するためのボタンである。右側のボタンを一般検索ボタン、左側のボタンを常時検索ボタンと仮称する。
【０１２６】
メニュー画面１７０が表示装置１３に表示されると、ユーザは、商品名入力欄１８１に、医薬品の商品名、商品名の一部分（例えば、前方２文字など）、一般名、あるいは一般名の一部分を表す文字列を入力することができ、識別コード入力欄１８２に識別コードまたはその一部分を表す文字列を入力することができる。ユーザが商品名入力欄１８１または識別コード入力欄１８２に文字列を入力した後、右隣の検索ボタンをマウス等でクリックすると、ブラウザ部７０は、文字列と共に検索命令を医薬品情報検索支援システム１０４へ送信する。この動作は、例えば、検索ボタンに貼り付けられたプログラムが、医薬品情報検索支援システム１０４のアプリケーション６８に用意された検索用のＣＧＩプログラムのＵＲＬを指定し、入力された文字列を送信することにより実現する。
【０１２７】
入力受付部７２の商品名入力受付部７３は、文字列と探索命令を受け付けると、商品名入力欄１８１に入力された文字列を商品名または一般名に含む行、または識別コード入力欄１８２に入力された文字列を識別コードに含む行をテーブル２０１から検索する。そして、出力部９５は、検索された行に格納されている商品名を含む項目、例えば商品名と一般名と識別コードを表示するＨＴＭＬファイルをブラウザ部７０へ送信する。ブラウザ部７０は、受信した商品名等を表示する小画面を、例えばメニュー画面１７０に重ねて、あるいは並列に表示する。ユーザが、表示された商品名の一つをクリックにより選択すると、ブラウザ部７０は、選択された商品名を医薬品情報検索支援システム１０４へ送信する。商品名入力受付部７３は、送信された商品名を受け付けると、検索対象商品名９７としてデータ記憶部７１に記憶させる（以上、図２１のステップＳ１）。
【０１２８】
次に、ユーザがメニュー画面１７０のインタビューフォーム検索ボタン１７２のうち、特に一般検索ボタンをクリックしたものとする（ステップＳ２）。そうすると、ブラウザ部７０は、当該ボタンに対応する選択データを医薬品情報検索支援システム１０４へ送信する。入力受付部７２の商品提供者サイトアクセス指示受付部７４が、送信された選択データを受け付けると、付加情報出力部８３は、データ記憶部７１に記憶されている検索対象商品名９７に関連づけられたインタビューフォーム（以下、適宜「ＩＦ」と略記する）のＰＤＦファイルをテーブル２０３から検索する。
【０１２９】
付加情報出力部８３が、目的とするＰＤＦファイルを見出し得ない場合には（ステップＳ３でＮｏ）、アドレス取得部９３は、データ記憶部７１に記憶される検索対象商品名９７に関連づけられた企業ＩＤをテーブル２０１から検索し、検索した企業ＩＤに関連づけられたウェブサイトのトップページのＵＲＬをテーブル２０２から検索する。アドレス受渡部９４は、アドレス取得部９３が検索したＵＲＬをブラウザ部７０へ、アクセスすべきウェブページのＵＲＬとして送信する。それと同時に、ガイド情報取得部８６は、アドレス取得部９３が検索したＵＲＬに関連づけられたガイド情報を、テーブル２０４から検索する。ガイド情報出力部８７は、ガイド情報取得部８６が検索したガイド情報を表示するＨＴＭＬファイルと、図２３に示すフレーム画面１６０を表示するＨＴＭＬファイルとを、ブラウザ部７０へ送信する。フレーム画面１６０は、フレーム１６１、１６２およびフレーム１６３の３フレームに画面を分割する。フレーム画面１６０は、ヘッド部であるフレーム１６１にはツールバーを表示し、メイン画面であるフレーム１６２には、ブラウザ部７０がウェブサイトからダウンロードしたウェブページを表示し、フレーム１６３のうち、ガイド領域１６３ａにはガイド情報を表示し、メニュー領域１６３ｂにはメニュー情報を表示するものである。
【０１３０】
ガイド情報出力部８７は、フレーム画面１６０を表示するＨＴＭＬファイルと同時に、メニュー領域１６３ｂに表示すべきメニュー情報をも、ＨＴＭＬファイルの形式で送信する。メニュー情報は、メニュー画面１７０に戻るための指示ボタン、医薬品情報検索支援システム１０４をログオフするための指示ボタン、メモの書き込みや画面に表示された文字データのコピーを可能にするメモ帳を開くための指示ボタンを表示するものである。アドレス受渡部９４は、送るべきＵＲＬを、ガイド情報出力部８７が送り出す３種のＨＴＭＬファイルのいずれかに貼り付けて送っても良い。
【０１３１】
ブラウザ部７０は、ガイド情報出力部８７から送られた３種のＨＴＭＬファイルと、アドレス受渡部９４から送られたＵＲＬとを受信すると、当該ＵＲＬが付与されたウェブページへアクセスし、トップページのＨＴＭＬファイルをダウンロードする。ブラウザ部７０はさらに、フレーム画面１６０を表示するＨＴＭＬファイルの記述に基づいて、ダウンロードしたウェブページをフレーム１６２に表示する（ステップＳ４）。ブラウザ部７０は同時に、ガイド情報をガイド領域１６３ａにスクロール表示し（ステップＳ１０１）、メニュー情報をメニュー領域１６３ｂに表示する。
【０１３２】
図２４は、図２１の操作にともなって表示装置１３に表示される画面の一例を示す画面図である。ステップＳ４およびステップＳ１０１では、表示装置１３には、図２４（ａ）に例示する画面が表示される。図２４（ａ）のフレーム１６２には、検索対象商品名９７の医薬品情報が公開されている製薬企業のウェブサイトのトップページが表示される。図２４（ａ）の例では、表示されるトップページには、その上部にメニューバー１１０が表示され、そのうちの右端に医療関係者向け情報１１１というボタンが表示されている。医療関係者向け情報１１１には、インタビューフォームへ向かう第２のページへのリンクが張られており、目的とするインタビューフォームへの第１の入り口となっている。この入口を案内すべく、フレーム１６３ａにはガイド情報として、入口の在処と為すべき操作とを教示するメッセージが表示されている。
【０１３３】
図２１では、図示を略しているが、フレーム１６３ｂには、メニュー情報として各種の指示ボタンが表示される。ユーザが表示装置１３の画面上でこれらの指示ボタンをクリックすると、ブラウザ部７０は、指示ボタンに対応した指示データを医薬品情報検索支援システム１０４へ送信する。メニュー情報を表示するＨＴＭＬファイルには、かかるブラウザ部７０の動作を規定する命令が、ガイド情報出力部８７によって予め貼り付けられている。入力受付部７２は、受信した指示データに従って所定の処理を行う。
【０１３４】
ユーザがガイド情報に案内されて、医療関係者向け情報１１１をクリックすると、ブラウザ部７０は、リンク先である第２ページを表示するＨＴＭＬファイルを、製薬企業のウェブサイトに要求する。ブラウザ部７０は、要求に応じて送信されたＨＴＭＬファイルを解読することにより、第２ページをフレーム１６２に表示する（ステップＳ５）。
【０１３５】
ブラウザ部７０はまた、ダウンロードを要求した第２ページのＨＴＭＬファイルのＵＲＬとともに、ガイド情報の送信要求を医薬品情報検索支援システム１０４へ送る。このようなブラウザ部７０の動作は、例えば、フレーム画面１６０を表示するＨＴＭＬファイルにガイド情報出力部８７が命令を貼り付けておくことによって達成される。入力受付部７３がガイド情報の送信要求とＵＲＬとを受信すると、ガイド情報取得部８６は、当該ＵＲＬに関連づけられたガイド情報をテーブル２０４から検索する。ガイド情報出力部８７は、ガイド情報取得部８６が検索したガイド情報を表示するＨＴＭＬファイルを、ブラウザ部７０へ送信する。ブラウザ部７０は、ガイド情報を表示するＨＴＭＬファイルを解読することにより、フレーム１６２に表示される第２ページに対応したガイド情報をフレーム１６３ａに表示する（ステップＳ１０２）。
【０１３６】
図２４（ｂ）は、この段階で表示装置１３に表示される画面を例示している。図２４（ｂ）の例では、表示される第２ページには、その左上に「あなたは医療関係者ですか」という問いかけが表示され、その下に「はい」および「いいえ」の二つのボタンが表示されている。この「はい」ボタンには、インタビューフォームへ向かう第３のページへのリンクが張られており、目的とするインタビューフォームへの第２の入り口となっている。この入口を案内すべく、フレーム１６３ａにはガイド情報として、入口の在処と為すべき操作とを教示するメッセージが表示されている。
【０１３７】
ユーザがガイド情報に案内されて、「はい」ボタンをクリックすると、前回と同様の処理を経ることにより、ブラウザ部７０は、第３ページを表示するＨＴＭＬファイルを製薬企業のウェブサイトから受け取り、この第３ページをフレーム１６２に表示する（ステップＳ６）。ブラウザ部７０はまた、ダウンロードを要求した第３ページのＨＴＭＬファイルのＵＲＬとともに、ガイド情報の送信要求を医薬品情報検索支援システム１０４へ送る。前回と同様の処理を経ることにより、ブラウザ部７０は、第３ページに対応したガイド情報を表示するＨＴＭＬファイルをガイド情報出力部８７から受け取り、当該ガイド情報をフレーム１６３ａに表示する（ステップＳ１０３）。
【０１３８】
図２４（ｃ）は、この段階で表示装置１３に表示される画面を例示している。図２４（ｃ）の例では、表示される第３ページには、その左端にメニューバー１１４が表示され、そのうちの下端に、目的とするインタビューフォームへの第３の入り口である製品基本情報１１５というメニューが表示されている。この入口を案内すべく、フレーム１６３ａにはガイド情報として、入口の在処と為すべき操作とを教示するメッセージが表示されている。
【０１３９】
ユーザがガイド情報に案内されて、製品基本情報１１５をクリックすると、前回と同様の処理を経ることにより、ブラウザ部７０は、第４ページを表示するＨＴＭＬファイルを製薬企業のウェブサイトから受け取り、この第４ページをフレーム１６２に表示する（ステップＳ７）。ブラウザ部７０はまた、前回と同様の処理を経ることにより、第４ページに対応したガイド情報を表示するＨＴＭＬファイルをガイド情報出力部８７から受け取り、当該ガイド情報をフレーム１６３ａに表示する（ステップＳ１０４）。
【０１４０】
図２４（ｄ）は、この段階で表示装置１３に表示される画面を例示している。図２４（ｄ）の例では、第４ページには、商品名とＰＤＦファイルのアイコンとが対照可能に並べて表示されている。ＰＤＦファイルのアイコンには、対応するＰＤＦファイルへのリンクが張られている。インタビューフォームの列に表示されたＰＤＦファイルのアイコンが、インタビューフォームへの最終の入り口となる。フレーム１６３ａにはガイド情報として、為すべき操作を教示するメッセージが表示されている。
【０１４１】
ユーザがガイド情報に案内されて、例えば、インタビューフォームの列に表示されたＰＤＦファイルのアイコンの一つをクリックすると、前回と同様の処理を経ることにより、ブラウザ部７０は、対応するＰＤＦファイルを製薬企業のウェブサイトから受け取り、受け取ったＰＤＦファイルを開いて、第５ページとしてフレーム１６２に表示する（ステップＳ８）。ブラウザ部７０はまた、前回と同様の処理を経ることにより、第５ページに対応したガイド情報を表示するＨＴＭＬファイルをガイド情報出力部８７から受け取り、当該ガイド情報をフレーム１６３ａに表示する（ステップＳ１０５）。ＰＤＦファイルには、目次としての「しおり」が添付されていることがあり、その場合には、「しおり」によって目的の項目を検索すべきこと、そうでない場合には、「検索」ボタンにより検索すべきことを教示するガイド情報が、フレーム１６３ａに表示される。
【０１４２】
以上により、検索対象商品名９７に対応する補完インタビューフォーム４３がデータベース１０に存在しない場合（ステップＳ３でＮｏ）の検索手順が終了する。
【０１４３】
一方、ステップＳ３において、検索対象商品名９７に対応する補完インタビューフォーム４３がデータベース１０に存在する場合、すなわち、目的とするＰＤＦファイルを付加情報出力部８３が見出した場合には（ステップＳ３でＹｅｓ）、付加情報出力部８３は、当該ＰＤＦファイルの名称をテーブル２０３から取得する。付加情報出力部８３はさらに、取得したＰＤＦファイルの名称と検索対象商品名９７とを表示し、ユーザによる選択を促すＨＴＭＬファイルを生成し、ブラウザ部７０へ送信する。
【０１４４】
このとき、ガイド情報出力部８７は、フレーム画面１６０、ガイド情報、およびメニュー情報を表示する各ＨＴＭＬファイルを送信する。その結果、ブラウザ部７０は、付加情報出力部８３から送られたＨＴＭＬの内容をフレーム１６２に表示し（ステップＳ９）、ガイド情報をフレーム１６２ａに表示し（Ｓ１０４と同等）、メニュー情報をフレーム１６３ｂに表示する。このときの表示装置１３に表示される画面は、図２４（ｄ）と同等のものとなる。フレーム１６２に表示されるＰＤＦファイルのアイコンには、対応するＰＤＦファイルの送信を医薬品情報検索支援システム１０４に要求するためのブラウザ部７０に対する命令が貼り付けられている。
【０１４５】
フレーム１６３ａに表示されるガイド情報は、例えば、補完インタビューフォーム４３を識別する符号と関連づけてテーブルに予め格納しておくと良い。この場合には、付加情報出力部８３が、補完インタビューフォーム４３としてのＰＤＦファイルを見出した場合には、ガイド情報取得部８６は、補完インタビューフォーム４３を識別する符号と関連づけられたガイド情報をテーブルから検索し、ガイド情報出力部８７に受け渡す。
【０１４６】
ユーザがガイド情報に案内されて、例えば、インタビューフォームの列に表示されたＰＤＦファイルのアイコンの一つをクリックすると、ブラウザ部７０は、アイコンに貼り付けられている命令にしたがって、所定の命令を医薬品情報検索支援システム１０４へ送信する。入力受付部７２が当該命令を受け付けると、付加情報出力部８３は、検索対象商品名９７に関連づけられたＰＤＦファイルをデータベース１０から検索し、ブラウザ部７０へ送信する。ブラウザ部７０は、当該ＰＤＦファイルを受け取り、受け取ったＰＤＦファイルを開いてフレーム１６２に表示する（ステップＳ８）。
【０１４７】
それと同時に、ガイド情報取得部８６は、ＰＤＦファイルのためのガイド情報をデータベース１０から検索し、ガイド情報出力部８７へ受け渡す。このガイド情報は、データベース１０の構築者によって、データベース１０に予め格納されている。ガイド情報出力部８７は、受け渡されたガイド情報を表示するＨＴＭＬファイルをブラウザ部７０へ送信する。その結果、ブラウザ部７０は、ＰＤＦファイルに対応したガイド情報をフレーム１６３ａに表示する（ステップＳ１０５）。
【０１４８】
以上により、検索対象商品名９７に対応する補完インタビューフォーム４３がデータベース１０に存在する場合（ステップＳ３でＹｅｓ）の検索手順が終了する。
【０１４９】
上記の例では、フレーム１６２に表示されるウェブページが変わる毎に、それに対応するガイド情報がフレーム１６３に表示された。これに対して、図１０の第４行のように、一つのＵＲＬに対して、その下位階層を含む複数ページに対応したガイド情報を準備しても良い。この場合には、ユーザがガイド情報に案内されて、目的の情報に向かって次々とウェブページを開いてゆく中で、複数ページにわたって同一のガイド情報が更新されることなく表示される。複数層にわたるガイド情報が、フレーム１６３の広さを超える場合には、ユーザはフレーム１６３ｂのスクロールバーを適宜操作することにより、開いているウェブページに該当するガイド情報の部分を表示させることができる。
【０１５０】
以上のように、医薬品情報検索支援システム１０４を用いることによって、ユーザは、目的とする医薬品情報を提供する製薬企業のウェブサイトのアドレスを自ら探し出す手間を要することなく、商品名を入力するだけで、当該ウェブサイトにアクセスすることができる。このように、ユーザは、複数の製薬企業が開設するウェブサイトに分散する一群の医薬品情報を一元的に検索し、利用することが可能となる。ユーザは基本的に、商品提供者たる製薬企業による医薬品情報、すなわち医薬品情報における一次情報にアクセスし、利用するものであるので、医薬品情報に対する信頼性が高い。しかも、医薬品情報検索支援システム１０４の構築に要する負担も軽減される。
【０１５１】
また、ブラウザ部７０がダウンロードしたウェブデータとガイド情報とが、フレーム画面１６０の中で、同時並列に表示されるので、ユーザは対応するガイド情報に導かれつつ、ウェブデータ上で医薬品情報に到達するための所定の操作を容易に行うことができる。すなわち、一般にウェブサイト毎に異なる医薬品情報へ至る操作を、ガイド情報に導かれることによって、円滑に行うことが可能となる。その結果、一つの薬物治療に係わり要していた平均的に数時間の検索時間が、医薬品情報検索支援システム１０４を用いることにより、２０分程度にまで劇的に短縮される。
【０１５２】
さらに、ユーザは一般検索を選択することによって、製薬企業のウェブサイトのトップページから閲覧できるので、目的とする医薬品情報だけでなく、製薬企業の関連情報、例えば使用上の注意などをも参照することができ、それによりウェブサイト開設者の広報目的をも叶えることができる。
【０１５３】
加えて、製薬企業がウェブサイトを通じて提供していないインタビューフォーム（総合製品情報概要も同様）については、補完インタビューフォーム４３が準備され、ユーザはいずれであるかを意識することなく、目的とするインタビューフォームを検索することが可能である。医薬品情報については、すべての医薬品について情報の欠損がないという網羅性への要求が高いところ、医薬品情報検索支援システム１０４は、当該要求に応えるものである。また、補完インタビューフォーム４３（補完総合製品情報概要４４も同様）は、製薬企業から提供される一次情報であるので、情報への信頼性を損なうことなく、情報の網羅性が充足される。
【０１５４】
図２５は、図２１と同様に、端末装置１ｃのユーザが医薬品情報検索支援システム１０４を利用しつつ、インタビューフォーム３２を検索する際の操作手順を示している。ただし図２５は、図２１とは異なり、ブラウザ部７０がアクセスした製薬企業のウェブサイトが、本人認証のために会員ＩＤおよびパスワードの入力を求める場合の操作手順を示している。ユーザが、インターネット５を通じて端末装置１ｃを医薬品情報検索支援システム１０４に接続した後、ステップＳ１〜Ｓ４までの手順は、図２１と同様である。
【０１５５】
ステップＳ４では、例えば図２４（ａ）に例示する画面が表示される。ユーザがガイド情報に案内されて、医療関係者向け情報１１１をクリックすると、既に述べたところと同様の処理を経ることにより、ブラウザ部７０は、第２ページを表示するＨＴＭＬファイルを製薬企業のウェブサイトから受け取り、この第２ページをフレーム１６２に表示する（ステップＳ１２）。ブラウザ部７０はまた、既に述べたところと同様の処理を経ることにより、第２ページに対応したガイド情報を表示するＨＴＭＬファイルをガイド情報出力部８７から受け取り、当該ガイド情報をフレーム１６３ａに表示する（ステップＳ１１０）。
【０１５６】
図２６は、図２５の操作にともなって表示装置１３に表示される画面の一例を示す画面図である。ステップＳ１２およびステップＳ１１０では、表示装置１３には、図２６（ａ）に例示する画面が表示される。図２６（ａ）のフレーム１６２には、本人認証データの入力を求める認証データ入力欄１２０が表示される。認証データ入力欄１２０には、本人認証データとしての会員ＩＤとパスワードとを入力するための欄が、ＧＵＩ部品としてのテキストボックスの形態で表示される。認証データ入力欄１２０には、さらにログインボタン１２１が表示されている。ログインボタン１２１には、入力された会員ＩＤとパスワードとを付してログイン要求を製薬企業のウェブサイトに送信するための命令が貼り付けられている。
【０１５７】
フレーム１６３ａには、ガイド情報として、会員ＩＤとパスワードの入力を促すメッセージとともに、認証データ検索ボタンが表示されている。ガイド情報取得部８６は、認証データ検索ボタンの付いたガイド情報を検索すると、検索対象商品名９７に関連づけられた企業ＩＤをテーブル２０１から検索し、検索した企業ＩＤに関連づけられた企業名をテーブル２０２から検索し、企業ＩＤに関連づけられた会員ＩＤとパスワードとをテーブル２０５から検索する。ガイド情報取得部８６が、認証データ検索ボタンが付いているガイド情報を検索することを可能にするには、例えば、テーブル２０４において、認証データ検索ボタンが付いているか否かを示すフラグを付してガイド情報を格納しておくと良い。
【０１５８】
ガイド情報出力部８７は、ガイド情報取得部８６が検索した企業名、会員ＩＤおよびパスワードを表示させる命令を、ガイド情報を表示するＨＴＭＬファイルの認証データ検索ボタンに貼り付けて、ブラウザ部７０に送信する。したがって、ユーザがフレーム１６３ａに表示された認証データ検索ボタンをクリックすると（ステップＳ１３）、フレーム１６３ａには、当該製薬企業の企業名と、当該企業に登録されている会員ＩＤおよびパスワードとが表示される。図２６（ｂ）は、この段階で表示装置１３に表示される画面を例示している。
【０１５９】
ユーザは、表示された会員ＩＤとパスワードとを、画面上でいわゆるコピー・アンド・ペースト操作することにより、フレーム１６２に表示された認証データ入力欄１２０に入力することができる。その後、ユーザがログインボタン１２１をクリックすると、ブラウザ部７０は、会員ＩＤとパスワードとを付して、ログイン要求を製薬企業のウェブサイトへ送信する（ステップＳ１４）。そうすると、図２１のステップＳ９で「はい」をクリックしたときと同様の処理が行われる。ユーザは、図２１のステップＳ６以下と同様の操作を行うことにより、目的とするインタビューフォーム３２を取得することができる。
【０１６０】
ステップＳ１４において、ユーザがコピー・アンド・ペースト操作により、会員ＩＤとパスワードとを認証データ入力欄１２０に入力する代わりに、例えば、表示された会員ＩＤとパスワードの上で、ユーザがワンクリック操作をすることにより、表示している会員ＩＤとパスワードとを認証データ入力欄１２０へ自動的に入力させることも可能である。それには、ワンクリック操作に応答してこのような処理をブラウザ部７０に行わせるための命令を、ガイド情報を表示するＨＴＭＬファイルに貼り付けておくと良い。ガイド情報出力部８７は、かかる命令を貼り付ける際に、入力すべき認証データ入力欄１２０の位置等の情報を必要とするが、認証データ入力欄１２０を表示するウェブページのＵＲＬは、入力受付部７２により受信されており、ガイド情報出力部８７は、当該ＵＲＬに対応する認証データ入力欄情報をテーブル２０６から検索することができる。
【０１６１】
テーブル２０５に格納されている会員ＩＤとパスワードは、ユーザが、端末装置１ｃを通じて登録操作を行うことにより、テーブル２０５に格納される。このときユーザは、端末装置１ｃを通じて、企業ＩＤと会員ＩＤとパスワードとを、互いに関連づけて入力する。認証データ入力部７５は、これらのデータの入力を受け付けるとともに、互いに関連づけてテーブル２０５に格納する。
【０１６２】
このように、ダウンロードされたウェブデータに認証データ入力欄１２０が含まれるときに、ガイド情報を利用することにより、該当する製薬企業に登録済みの会員ＩＤおよびパスワードが認証データ入力欄１２０に自動入力される。このためユーザは、認証データ入力欄１２０が現れる度に、製薬企業毎に異なる会員ＩＤおよびパスワードの入力作業を省くことができる。それによって、ユーザはウェブデータが提供する医薬品情報の検索を能率良く行うことが可能となる。
【０１６３】
あるいは、表示された会員ＩＤおよびパスワードをマウス操作等によりコピーし、認証データ入力欄１２０にペーストすることによっても、ユーザは、認証データ入力欄１２０が現れる度に、製薬企業毎に異なる会員ＩＤおよびパスワードの入力作業を、簡便に、しかも誤りを少なくして行うことが可能となる。それによって、ユーザはウェブデータが提供する医薬品情報の検索を能率良く行うことが可能となる。
【０１６４】
図２５の例は、表示装置１３にウェブページを表示する際に、ガイド情報を表示するものであったが、本発明は、ガイド情報を表示しない形態を採ることも可能である。この場合にも、会員ＩＤとパスワードとをブラウザ部７０に自動入力させることが可能である。そのためには、ブラウザ部７０は、ウェブページをダウンロードしたときに、当該ウェブページのＵＲＬと、何らかの入力欄があればその入力欄の位置、大きさ等に関する情報である入力欄情報とを、医薬品情報検索支援システム１０４へ送信する。そのためには、例えば、フレーム画面１６０を表示するＨＴＭＬファイルに、かかるブラウザ部７０の動作を規定する命令が、ガイド情報出力部８７によって予め貼り付けられていると良い。
【０１６５】
送信されたＵＲＬと入力欄情報とを入力受付部７２が受信すると、認証データ入力欄判定部９２は、受信されたＵＲＬに関連づけられた認証データ入力欄情報をテーブル２０６から検索し、検索した認証データ入力欄情報と受信された入力欄情報とが一致するか否かを判定する。両者が一致しているとの判定結果が得られると、認証データ自動入力部９１は、当該ＵＲＬに関連づけられた企業ＩＤをテーブル２０２から検索し、検索された企業ＩＤに関連づけられた会員ＩＤとパスワードとを、テーブル２０５から検索する。認証データ自動入力部９１は、さらに、検索した会員ＩＤとパスワードとを、命令とともにブラウザ部７０に送り、認証データ入力欄１２０に入力させる。
【０１６６】
認証データ自動入力部９１は、会員ＩＤとパスワードとを自動入力させる代わりに、ダウンロードされているウェブデータと同時に画面表示させてもよい。ユーザは、表示された会員ＩＤとパスワードとをコピー・アンド・ペースト操作により、認証データ入力欄１２０へ入力することができる。この場合、テーブル２０６は、認証データ入力欄１２０の情報として、位置、大きさ等の詳細な情報は必要ではなく、ＵＲＬに該当するウェブページに認証データ入力欄１２０が存在することを示す情報のみが格納されておれば足りる。ダウンロードされたウェブページに認証データ入力欄１２０が存在することさえ確認できれば、会員ＩＤとパスワードとを画面表示させても支障がないからである。
【０１６７】
したがって、ブラウザ部７０は、ダウンロードしたウェブページのＵＲＬのみを送信すればよく、入力欄情報を送信する必要はない。送信されたＵＲＬを入力受付部７２が受信すると、認証データ出力部７６は、受信されたＵＲＬに関連づけられた認証データ入力欄情報をテーブル２０６から検索し、認証データ入力欄情報が存在すれば、当該ＵＲＬに関連づけられた企業ＩＤをテーブル２０２から検索し、検索された企業ＩＤに関連づけられた会員ＩＤとパスワードとを、テーブル２０５から検索する。認証データ出力部７６は、さらに、検索した会員ＩＤとパスワードとを、ブラウザ部７０に送り、表示装置１３に表示させる。
【０１６８】
（３．２  インタビューフォームの常時検索の例）
図２７は、図２１と同様に、端末装置１ｃのユーザが医薬品情報検索支援システム１０４を利用しつつ、インタビューフォーム３２を検索する際の操作手順を示している。ただし図２７は、図２１とは異なり、ステップＳ２においてユーザが、常時検索ボタンをクリックした場合の操作手順を示している。ユーザが、インターネット５を通じて端末装置１ｃを医薬品情報検索支援システム１０４に接続した後、ステップＳ２へ至るまでの手順は、図２１と同様である。ステップＳ２において、ユーザがメニュー画面１７０（図２３）のインタビューフォーム検索ボタン１７２のうち、常時検索ボタンをクリックしたものとする。そうすると図２１の処理と同様に、ブラウザ部７０は、当該ボタンに対応する選択データを医薬品情報検索支援システム１０４へ送信する。入力受付部７２の商品提供者サイトアクセス指示受付部７４が、送信された選択データを受け付けると、付加情報出力部８３は、図２１の処理と同様に、データ記憶部７１に記憶されている検索対象商品名９７に関連づけられたインタビューフォームのＰＤＦファイルをテーブル２０３から検索する。
【０１６９】
付加情報出力部８３が、目的とするＰＤＦファイルを見出し得ない場合には（ステップＳ３でＮｏ）、アドレス取得部９３は、図２１の処理と同様に、データ記憶部７１に記憶される検索対象商品名９７に関連づけられた企業ＩＤをテーブル２０１から検索する。しかし図２１の処理とは異なり、アドレス取得部９３は次に、検索した企業ＩＤに関連づけられたウェブページのうち、トップページよりも下位階層でインタビューフォームが置かれている階層以上の予め定められたウェブページ（これを、「標的ウェブページ」と仮称する）のＵＲＬを、テーブル２０２から検索する。標的ウェブページは、インタビューフォームが置かれている階層、またはそれに最も近いウェブページに定めるのが望ましい。
【０１７０】
これを実現するためには、例えば、テーブル２０２に格納されるＵＲＬとフラグとを関連づけて格納したテーブルを準備しておくと良い。フラグの値として、例えば、標的ウェブページでないものについては「０」を、標的ウェブページであるものについては「１」を付与すると良い。あるいは、テーブル２０２において、複数階層のＵＲＬのうち標的ウェブページのＵＲＬについては、その旨を示すフラグを付して格納したり、標的ウェブページのＵＲＬのみを格納したテーブルを別に準備したりしても良い。
【０１７１】
アドレス取得部９３が標的ウェブページのＵＲＬを検索すると、図２１の処理と同様に、アドレス受渡部９４は、検索されたＵＲＬをブラウザ部７０へ、アクセスすべきウェブページのＵＲＬとして送信する。それと同時に、ガイド情報取得部８６は、アドレス取得部９３が検索したＵＲＬに関連づけられたガイド情報を、テーブル２０４から検索する。ガイド情報出力部８７は、ガイド情報取得部８６が検索したガイド情報を表示するＨＴＭＬファイルと、図２３に示すフレーム画面１６０を表示するＨＴＭＬファイルと、メニュー情報を表示するＨＴＭＬファイルとを、ブラウザ部７０へ送信する。
【０１７２】
ブラウザ部７０は、ガイド情報出力部８７から送られた３種のＨＴＭＬファイルと、アドレス受渡部９４から送られたＵＲＬとを受信すると、当該ＵＲＬが付与されたウェブページへアクセスし、標的ウェブページのＨＴＭＬファイルをダウンロードする。ブラウザ部７０はさらに、ダウンロードした標的ウェブページをフレーム１６２に表示する（ステップＳ７）とともに、ガイド情報をガイド領域１６３ａにスクロール表示し（ステップＳ１０４）、メニュー情報をメニュー領域１６３ｂに表示する。ここで、標的ウェブページは、図２１に例示した第４ページであると仮定している。
【０１７３】
ステップＳ７以降の操作手順、およびステップＳ３での判定が「Ｙｅｓ」である場合のそれ以降の操作手順は、図２１と同様であるので、説明を略する。
【０１７４】
図２８は、図２７と同様に、端末装置１ｃのユーザが医薬品情報検索支援システム１０４を利用しつつ、インタビューフォーム３２を検索する際に、ステップＳ２において常時検索ボタンをクリックした場合の操作手順を示している。ただし図２８は、図２７とは異なり、ブラウザ部７０がアクセスした製薬企業のウェブサイトが、本人認証のために会員ＩＤおよびパスワードの入力を求める場合の操作手順を示している。このため、図２８の処理手順は、図２５の処理手順の多くの部分と共通する。
【０１７５】
ユーザが、インターネット５を通じて端末装置１ｃを医薬品情報検索支援システム１０４に接続した後、ステップＳ１〜Ｓ３までの手順は、図２７と同様である。ステップＳ３において、付加情報出力部８３が、目的とするＰＤＦファイルを見出し得ない場合には（ステップＳ３でＮｏ）、アドレス取得部９３は、図２７と同様の処理を経ることにより、検索した企業ＩＤに関連づけられたウェブページのうち、標的ウェブページのＵＲＬをテーブル２０２から検索する。トップページからインタビューフォームが置かれているウェブページまでのアクセス経路において、本人認証データの入力を求めるウェブページが有る場合には、当該ページを標的ウェブページとするのが望ましい。このため、図２８の例では、標的ウェブページは、図２５における第２ページに設定されている。
【０１７６】
アドレス取得部９３が標的ウェブページのＵＲＬを検索すると、図２７と同様の処理を経ることにより、ブラウザ部７０は、ガイド情報出力部８７から送られた３種のＨＴＭＬファイルと、アドレス受渡部９４から送られたＵＲＬとを受信すると、当該ＵＲＬが付与されたウェブページへアクセスし、標的ウェブページである第２ページのＨＴＭＬファイルをダウンロードする。ブラウザ部７０はさらに、ダウンロードした標的ウェブページをフレーム１６２に表示する（ステップＳ１２）とともに、ガイド情報をガイド領域１６３ａにスクロール表示し（ステップＳ１１０）、メニュー情報をメニュー領域１６３ｂに表示する。
【０１７７】
ステップＳ１２以降の操作手順、およびステップＳ３での判定が「Ｙｅｓ」である場合のそれ以降の操作手順は、図２５と同様であるので、説明を略する。
【０１７８】
図２７および図２８に例示したように、ユーザは、常時検索を選択することにより、目的とするインタビューフォームの検索をよりスムーズに行うことが可能となる。また、一般検索と常時検索とが選択可能であるために、例えば初回のアクセスでは製薬企業のウェブサイトに掲げられる関連情報をも参照し、２度目以降のアクセスでは目的とする情報へのアクセスを急ぎたいという、ユーザの要望に応えることができる。
【０１７９】
総合製品情報概要３３を検索するために、メニュー画面１７０に表示される総合製品情報概要検索ボタン１７３（図２２）を、ユーザがクリックしたときの操作手順および処理は、図２１〜図２８を参照しつつ説明したインタビューフォーム３２の検索のための操作手順および処理と同様であるので、説明を略する。
【０１８０】
（３．３  添付文書と申請資料概要の検索の例）
図２９は、端末装置１ｃのユーザが、医薬品情報検索支援システム１０４を利用しつつ医薬品情報を検索する際の操作手順の一例を示すフローチャートであり、特に添付文書３１を検索する際の手順を示している。ユーザが、インターネット５を通じて端末装置１ｃを医薬品情報検索支援システム１０４に接続した後、ステップＳ１までの手順は、図２１と同様である。ステップＳ１において商品名の入力が終了すると、ユーザは、メニュー画面１７０の添付文書検索ボタン１７１のうち、一般検索ボタンか常時検索ボタンをクリックする（ステップＳ３０）。そうすると、ブラウザ部７０は、当該ボタンに対応する選択データを医薬品情報検索支援システム１０４へ送信する。入力受付部７２の商品情報提供者サイトアクセス指示受付部７７が、送信された選択データを受け付けると、アドレス取得部９３は、添付文書３１を提供する機関の機関ＩＤに関連づけられたＵＲＬをテーブル２１４から検索する。一般検索ボタンがクリックされている場合には、アドレス取得部９３は、複数階層のウェブページのＵＲＬからトップページのＵＲＬを取得する。一方、常時検索ボタンがクリックされている場合には、アドレス取得部９３は、複数階層のウェブページのＵＲＬから標的ウェブページのＵＲＬを取得する。
【０１８１】
標的ウェブページの検索を実現するためには、テーブル２０２について既に説明したように、例えば、テーブル２１４に格納されるＵＲＬとフラグとを関連づけて格納したテーブルを準備しておくと良い。あるいは、テーブル２１４において、複数階層のＵＲＬのうち標的ウェブページのＵＲＬについては、その旨を示すフラグを付して格納したり、標的ウェブページのＵＲＬのみを格納したテーブルを別に準備したりしても良い。
【０１８２】
アドレス取得部９３が標的ウェブページのＵＲＬを検索すると、図２１の処理と同様に、アドレス受渡部９４は、検索されたＵＲＬをブラウザ部７０へ、アクセスすべきウェブページのＵＲＬとして送信する。それと同時に、ガイド情報取得部８６は、アドレス取得部９３が検索したＵＲＬに関連づけられたガイド情報を、テーブル２０４から検索する。ガイド情報出力部８７は、ガイド情報取得部８６が検索したガイド情報を表示するＨＴＭＬファイルと、図２３に示すフレーム画面１６０を表示するＨＴＭＬファイルと、メニュー情報を表示するＨＴＭＬファイルとを、ブラウザ部７０へ送信する。
【０１８３】
ブラウザ部７０は、ガイド情報出力部８７から送られた３種のＨＴＭＬファイルと、アドレス受渡部９４から送られたＵＲＬとを受信すると、当該ＵＲＬが付与されたウェブページへアクセスし、標的ウェブページのＨＴＭＬファイルをダウンロードする。ブラウザ部７０はさらに、ダウンロードした標的ウェブページをフレーム１６２に表示する（ステップＳ３１またはＳ３４）とともに、ガイド情報をガイド領域１６３ａにスクロール表示し（ステップＳ２０１またはＳ２０４）、メニュー情報をメニュー領域１６３ｂに表示する。ここで、標的ウェブページは、添付文書３１を公開するウェブサイトの第４ページであると仮定している。
【０１８４】
図２１と同様の処理が行われることにより、ユーザはフレーム１６３ａに表示されるガイド情報に導かれつつ、表示装置１３の画面上で操作を行うことができる。すなわちユーザは、ステップＳ３０で一般検索を選択した場合には、同時並列に表示されるステップＳ２０１〜Ｓ２０６を参照しつつ、ステップＳ３１〜Ｓ３６の操作を行うことができ、ステップＳ３０で常時検索を選択した場合には、同じく同時並列に表示されるステップＳ２０４〜Ｓ２０６を参照しつつ、ステップＳ３４〜Ｓ３６の操作を行うことができる。
【０１８５】
図３０は、図２９の操作にともなって表示装置１３に表示される画面の一例を示す画面図である。ステップＳ３４およびステップＳ２０４では、表示装置１３には、図３０（ａ）に例示する画面が表示される。図３０（ａ）のフレーム１６２には、商品名又は一般名の入力を求める商品名入力欄１２４と、商品名の検索実行を指示するための検索実行ボタン１２５とが表示される。商品名入力欄１２４は、ＧＵＩ部品としてのテキストボックスの形態で表示される。検索実行ボタン１２５には、入力された商品名等を付して検索要求を、添付文書３１を公開する公的機関等のウェブサイトに送信するための命令が貼り付けられている。
【０１８６】
フレーム１６３ａには、ガイド情報として、商品名入力欄１２４の入力スペースをクリックし、続いて検索実行ボタンをクリックするように促すメッセージが表示されている。ガイド情報取得部８６は、商品名入力欄１２４を表示するウェブページへのガイド情報を検索すると、検索対象商品名９７をデータ記憶部７１から取得する。ガイド情報取得部８６が、検索ボタンが付いているガイド情報を検索することを可能にするには、例えば、テーブル２０４において、対応するウェブページに商品名入力欄１２４が付いているか否かを示すフラグを付してガイド情報を格納しておくと良い。
【０１８７】
ガイド情報出力部８７は、ガイド情報取得部８６が検索した検索対象商品名９７を、商品名入力欄１２４の入力スペースのクリックに応答して当該入力スペースに入力させるための命令を、ガイド情報を表示するＨＴＭＬファイルに貼り付けて、ブラウザ部７０に送信する。したがって、ユーザがガイド情報にしたがって商品名入力欄１２４の入力スペースをクリックすると、ブラウザ部７０は、命令にしたがって、検索対象商品名９７を入力スペースに入力する。
【０１８８】
ガイド情報出力部８７は、かかる命令をガイド情報を表示するＨＴＭＬファイルに貼り付ける際に、入力すべき商品名入力欄１２４の位置等の情報を必要とするが、商品名入力欄１２４を表示するウェブページのＵＲＬは、ガイド情報の送信要求とともに入力受付部７２により受信されており、ガイド情報出力部８７は、当該ＵＲＬに対応する商品名入力欄情報をテーブル２０８から検索することができる。
【０１８９】
別の形態として、ガイド情報出力部８７は、検索対象商品名９７を商品名入力欄１２４に入力させるための命令に代えて、検索対象商品名９７を表示させるための命令を、ガイド情報を表示するＨＴＭＬファイルに貼り付けてブラウザ部７０に送信しても良い。この場合、ブラウザ部７０は、例えばフレーム１６３のいずれかの部位に、検索対象商品名９７を表示する。ユーザは、表示された検索対象商品名９７を、いわゆるコピー・アンド・ペースト操作により、商品名入力欄１２４の入力スペースに貼り付けることができる。
【０１９０】
次に、ユーザが検索ボタン１２５をクリックすると、ブラウザ部７０は、商品名を付して、検索要求をウェブサイトへ送信する（以上、ステップＳ３４）。そうすると、ブラウザ部７０は、命令に応じて送信される第５ページを表示するＨＴＭＬファイルを公的機関等のウェブサイトから受け取り、この第５ページをフレーム１６２に表示する（ステップＳ３５）。ブラウザ部７０はまた、ダウンロードした第５ページのＨＴＭＬファイルのＵＲＬとともに、ガイド情報の送信要求を医薬品情報検索支援システム１０４へ送る。その結果、ブラウザ部７０は、第５ページに対応したガイド情報を表示するＨＴＭＬファイルをガイド情報出力部８７から受け取り、当該ガイド情報をフレーム１６３ａに表示する（ステップＳ２０５）。
【０１９１】
ステップＳ３５およびステップＳ２０５では、表示装置１３には、図３０（ｂ）に例示する画面が表示される。図３０（ｂ）のフレーム１６２には、検索によって得られた商品名が列挙される。ステップＳ３４において、ユーザが手操作により一般名を入力した場合や、商品名の一部のみを入力した場合には、入力されたキーワードを含む複数の商品名が列挙されることとなる。しかし、医薬品情報検索支援システム１０４の支援により、目的とする医薬品を唯一に特定する識別名である商品名が自動的に入力されるので、フレーム１６２にはただ一つの商品名が表示されることとなる。
【０１９２】
商品名には、対応する添付文書が記録されたＨＴＭＬファイルまたはＰＤＦファイルへのリンクが張られている。したがって、ユーザが、フレーム１６３ａに表示されたガイド情報に導かれて商品名をクリックすると、ブラウザ部７０は、対応するＨＴＭＬファイルまたはＰＤＦファイルを、公的機関等のウェブサイトから受け取り、受け取ったファイルを開いて、第６ページとしてフレーム１６２に表示する（ステップＳ３６）。ブラウザ部７０はまた、前回と同様の処理を経ることにより、第６ページに対応したガイド情報を表示するＨＴＭＬファイルをガイド情報出力部８７から受け取り、当該ガイド情報をフレーム１６３ａに表示する（ステップＳ２０６）。
【０１９３】
以上のように、ユーザは、インタビューフォームや総合製品情報概要など、医薬品を個別に提供する製薬企業による医薬品情報だけでなく、公的機関等がすべての医薬品について一括して提供する添付文書をも含めて、さらには後述する申請資料概要・審査報告書等をも含めて、一元的に検索することができる。すなわち、医薬品情報検索支援システム１０４は、基本情報資料を漏れなく検索することを可能にするものであり、情報の網羅性という医薬品に特に求められる要求をも充足するものである。
【０１９４】
また、ダウンロードされたウェブデータに商品名入力欄１２４が含まれるときに、ガイド情報を利用することにより、ユーザが目的とする商品名である検索対象商品名９７が商品名入力欄１２４に自動入力され、あるいは検索対象商品名９７がコピー・アンド・ペースト可能に表示される。このため、商品名入力欄１２４が現れる度に行うべき商品名の入力作業を省略し、あるいは簡便に、しかも誤りを少なくして行うことが可能となる。それによって、ユーザはウェブデータが提供する商品情報の検索を能率良く行うことが可能となる。
【０１９５】
図２９の例は、表示装置１３にウェブページを表示する際に、ガイド情報を表示するものであったが、本発明は、ガイド情報を表示しない形態を採ることも可能である。この場合にも、商品名をブラウザ部７０に自動入力させることが可能である。そのためには、ブラウザ部７０は、ウェブページをダウンロードしたときに、当該ウェブページのＵＲＬと、何らかの入力欄があればその入力欄の位置、大きさ等に関する情報である入力欄情報とを、医薬品情報検索支援システム１０４へ送信する。そのためには、例えば、フレーム画面１６０を表示するＨＴＭＬファイルに、かかるブラウザ部７０の動作を規定する命令が、ガイド情報出力部８７によって予め貼り付けられていると良い。
【０１９６】
送信されたＵＲＬと入力欄情報とを入力受付部７２が受信すると、商品名入力欄判定部９０は、受信されたＵＲＬに関連づけられた商品名入力欄情報をテーブル２０８から検索し、検索した商品名入力欄情報と受信された入力欄情報とが一致するか否かを判定する。両者が一致しているとの判定結果が得られると、商品名自動入力部８９は、検索対象商品名９７をデータ記憶部７１から取得し、取得した検索対象商品名９７と、当該検索対象商品名９７の入力を指示する命令とを、ブラウザ部７０に送り、検索対象商品名９７を商品名入力欄１２４に入力させる。
【０１９７】
商品名自動入力部８９は、検索対象商品名９７を自動入力させる代わりに、ダウンロードされているウェブデータと同時に検索対象商品名９７を画面表示させてもよい。ユーザは、表示された検索対象商品名９７をコピー・アンド・ペースト操作により、商品名入力欄１２４へ入力することができる。この場合、テーブル２０８は、商品名入力欄１２４の情報として、位置、大きさ等の詳細な情報は必要ではなく、ＵＲＬに該当するウェブページに商品名入力欄１２４が存在することを示す情報のみが格納されておれば足りる。
【０１９８】
したがって、ブラウザ部７０は、ダウンロードしたウェブページのＵＲＬのみを送信すればよく、入力欄情報を送信する必要はない。送信されたＵＲＬを入力受付部７２が受信すると、商品名出力部８８は、受信されたＵＲＬに関連づけられた商品名入力欄報をテーブル２０８から検索し、商品名入力欄情報が存在すれば、検索対象商品名９７をデータ記憶部７１から取得し、取得した検索対象商品名９７と命令とをブラウザ部７０に送り、検索対象商品名９７を表示装置１３に表示させる。
【０１９９】
また、検索対象商品名９７を、表示装置１３に常時表示しても良い。この場合には、商品名出力部８８は、データ記憶部７１に検索対象商品名９７が記録された以後の任意の時期に、検索対象商品名９７を例えばポップアップ形式で画面表示させるための命令を、ブラウザ部７０に出力すれば足りる。
【０２００】
また、図２８では、常時検索が選択されたときに最初にアクセスすべき標的ウェブページとして、商品名入力欄１２４を表示する第４ページが選択された。しかし、医薬品情報検索支援システム１０４では、商品名を自動入力することが可能であるため、第５ページあるいは第６ページを標的ウェブページとすることも可能である。例えば、第５ページあるいは第６ページのＵＲＬが、商品名を含んでいる場合がある。この場合には、アドレス取得部９３は、添付文書３１を提供する機関の機関ＩＤに関連づけられた標的ウェブページである第５ページまたは第６ページのＵＲＬ（ただし、商品名の部分が例えばデフォルトになっている）を、テーブル２１４から取得する。アドレス取得部９３はさらに、データ記憶部７１から検索対象商品名９７を取得し、当該検索対象商品名９７を、標的ウェブページのＵＲＬに組み込む。
【０２０１】
図２９と同様の処理を経ることにより、標的ウェブページのＵＲＬがブラウザ部７０へ伝えられることにより、ブラウザ部７０は、標的ウェブページである第５または第６ページへ直接にアクセスし、当該標的ウェブページのＨＴＭＬファイルをダウンロードする。それにより、図２９における処理は、ステップＳ４０からステップＳ４５またはステップＳ４６へ、一気に飛躍することとなる。これによって、ユーザは、より迅速に目的とする添付文書に到達することが可能となる。
【０２０２】
図３１は、端末装置１ｃのユーザが、医薬品情報検索支援システム１０４を利用しつつ医薬品情報を検索する際の操作手順の一例を示すフローチャートであり、特に申請資料概要・審査報告書３５を検索する際の手順を示している。ユーザが、インターネット５を通じて端末装置１ｃを医薬品情報検索支援システム１０４に接続した後、ステップＳ１までの手順は、図２１と同様である。ステップＳ１において商品名の入力が終了すると、ユーザは、メニュー画面１７０の申請資料概要検索ボタン１７４のうち、一般検索ボタンか常時検索ボタンをクリックする（ステップＳ４０）。
【０２０３】
そうすると、図３０のステップＳ３０の後の処理と同様の処理を経ることにより、ブラウザ部７０は、申請資料概要・審査報告書３５を提供する機関の機関ＩＤに関連づけられ、テーブル２１４に格納されたＵＲＬを、アクセスすべきウェブページのＵＲＬとしてアドレス受渡部９４から受け取る。一般検索が選択されている場合には、ブラウザ部７０は、複数階層のウェブページのＵＲＬのうちのトップページのＵＲＬを受け取り、常時検索が選択されている場合には、標的ウェブページのＵＲＬを受け取る。それと同時に、ブラウザ部７０は、ガイド情報を表示するＨＴＭＬファイルと、図２３に示すフレーム画面１６０を表示するＨＴＭＬファイルと、メニュー情報を表示するＨＴＭＬファイルとをガイド情報出力部８７から受け取る。
【０２０４】
ブラウザ部７０は、ガイド情報出力部８７から送られた３種のＨＴＭＬファイルと、アドレス受渡部９４から送られたＵＲＬとを受信すると、当該ＵＲＬが付与されたウェブページへアクセスし、標的ウェブページのＨＴＭＬファイルをダウンロードする。ブラウザ部７０はさらに、ダウンロードした標的ウェブページをフレーム１６２に表示する（ステップＳ４１またはＳ４４）とともに、ガイド情報をガイド領域１６３ａにスクロール表示し（ステップＳ３０１またはＳ３０４）、メニュー情報をメニュー領域１６３ｂに表示する。ここで、標的ウェブページは、申請資料概要・審査報告書３５を公開するウェブサイトの第４ページであると仮定している。
【０２０５】
図２１と同様の処理が行われることにより、ユーザはフレーム１６３ａに表示されるガイド情報に導かれつつ、表示装置１３の画面上で操作を行うことができる。すなわちユーザは、ステップＳ４０で一般検索を選択した場合には、同時並列に表示されるステップＳ３０１〜Ｓ３０６を参照しつつ、ステップＳ４１〜Ｓ４６の操作を行うことができ、ステップＳ４０で常時検索を選択した場合には、同じく同時並列に表示されるステップＳ３０４〜Ｓ３０６を参照しつつ、ステップＳ４４〜Ｓ４６の操作を行うことができる。
【０２０６】
図３２は、ステップＳ４４およびステップＳ４０４において表示装置１３に表示される画面の一例を示す画面図である。図３２のフレーム１６２には、医薬品を検索するための一種の検索キーワードに相当する医薬品の承認年月の選択を求める承認年月選択欄が表示される。各々の承認年月は選択ボタンとなっており、当該選択ボタンには、対応する承認年月に該当する医薬品の商品名一覧を表示するＨＴＭＬファイルの送信要求を、申請資料概要・審査報告書３５を公開する公的機関等のウェブサイトに送信するための命令が貼り付けられている。
【０２０７】
フレーム１６３ａには、ガイド情報として、「承認年月検索」と表示された承認年月検索ボタンをクリックするように促すメッセージが表示されている。承認年月検索ボタンには、目的とする医薬品の承認年月を表示させるための命令が貼り付けられている。この命令は、テーブル２０４に格納されているガイド情報のうち、承認年月検索ボタンを表示するものに、予め貼り付けておくと良い。あるいは、ガイド情報取得部８６が、承認年月検索ボタンが付いているガイド情報を検索したときに、ガイド情報出力部８７が、ガイド情報を表示するＨＴＭＬファイルの承認年月検索ボタンに当該命令を貼り付けて、ブラウザ部７０に送信してもよい。後者の場合、ガイド情報取得部８６が、承認年月検索ボタンが付いているガイド情報を検索することを可能にするには、例えば、テーブル２０４において、承認年月検索ボタンが付いているか否かを示すフラグを付してガイド情報を格納しておくと良い。
【０２０８】
ユーザが、フレーム１６３ａに表示された承認年月検索ボタンをクリックすると、ブラウザ部７０は、命令にしたがって、目的とする医薬品の承認年月を表示させるための命令を、医薬品情報検索支援システム１０４へ送信する。検索キーワード出力要求受付部８１がこの命令を受信すると、検索キーワード出力部８２は、検索対象商品名９７をデータ記憶部７１から取得し、取得した検索対象商品名９７に関連づけられた一般名をテーブル２０１から検索し、同時に検索対象商品名９７に関連づけられた承認年月をテーブル２０７から検索する。検索キーワード出力部８２はさらに、検索した検索対象商品名９７、一般名、および承認年月を、これらを表示するための命令とともに、ブラウザ部７０に送信する。その結果、図３２に示すように、商品名と関連づけて承認年月等を表示する承認年月表示画面１３０が、例えばポップアップ画面の形式でフレーム１６２に表示される。
【０２０９】
ユーザは、フレーム１６３ａに表示されるガイド情報に導かれつつ、承認年月表示画面１３０に表示される承認年月に一致する選択ボタンを、フレーム１６２に表示される承認年月選択欄から選択しクリックする。そうすると、ブラウザ部７０は、当該選択ボタンに対応する承認年月に該当する医薬品の商品名一覧を表示する第５ページを送信するよう、公的機関等のウェブサイトに要求する（以上、ステップＳ４４）。その結果、ブラウザ部７０は、命令に応じて公的機関等から送信される第５ページを表示するＨＴＭＬファイルを受け取り、この第５ページをフレーム１６２に表示する（ステップＳ４５）。ブラウザ部７０はまた、ダウンロードした第５ページのＨＴＭＬファイルのＵＲＬとともに、ガイド情報の送信要求を医薬品情報検索支援システム１０４へ送る。その結果、ブラウザ部７０は、第５ページに対応したガイド情報を表示するＨＴＭＬファイルをガイド情報出力部８７から受け取り、当該ガイド情報をフレーム１６３ａに表示する（ステップＳ３０５）。
【０２１０】
ステップＳ３５では、フレーム１６２には第５ページとして、承認年月に該当する医薬品の商品名の一覧が表示される。それぞれの商品名には、対応する申請資料概要・審査報告書が記録されたＨＴＭＬファイルまたはＰＤＦファイルへのリンクが張られている。したがって、ユーザが、フレーム１６３ａに表示されたガイド情報に導かれて商品名をクリックすると、ブラウザ部７０は、対応するＨＴＭＬファイルまたはＰＤＦファイルを、公的機関等のウェブサイトから受け取り、受け取ったファイルを開いて、第６ページとしてフレーム１６２に表示する（ステップＳ４６）。ブラウザ部７０はまた、前回と同様の処理を経ることにより、第６ページに対応したガイド情報を表示するＨＴＭＬファイルをガイド情報出力部８７から受け取り、当該ガイド情報をフレーム１６３ａに表示する（ステップＳ３０６）。
【０２１１】
医薬品の承認年月を別途の資料にもとづいて割り出すのは時間と労力を要する。また、承認年月が並んだウェブページ上で、すべての承認年月のページを逐一開いて閲覧するのは、なおさら現実的ではない。特に、申請資料概要・審査報告書は、平成１１年以後の承認分しか整備されていないために、目的とする医薬品がそれより前に承認されたものであれば、すべての承認年月のページを開かざるを得ず、その徒労は計り知れない。医薬品情報検索支援システム１０４を利用することにより、承認年月表示画面１３０が表示されるために、ユーザは目的とする医薬品の申請資料概要・審査報告書への入り口を容易に特定することができ、それにより目的とする資料を迅速に取得することができる。
【０２１２】
（３．４  その他の資料の検索の例）
図２２に戻って、ユーザが、メニュー画面１７０に表示される診断と治療検索ボタン１７７、医学百科検索ボタン１７８、またはくすりのしおり検索ボタン１７９をクリックしたときの処理および操作手順は、図２９あるいは図３１に示した添付文書検索ボタン１７１あるいは申請資料概要検索ボタン１７４をクリックしたときのものと同様であるので、説明を略する。また、ユーザが文献・研究報告書検索ボタン１８３をクリックしたときの処理および操作手順は、一般の文献検索と変わりがないので説明を略する。
【０２１３】
ユーザが、メニュー画面１７０に表示された同種同効医薬品検索ボタン１７５をクリックしたときの処理および操作手順は、以下の通りである。図２１のステップＳ１に該当する商品名の入力は、既に終了しているものとする。同種同効医薬品検索ボタン１７５がクリックされると、ブラウザ部７０は、当該ボタンに対応する選択データ、すなわち要約出力要求を医薬品情報検索支援システム１０４へ送信する。要約出力要求受付部８０が、送信された要約出力要求を受け付けると、要約取得部９６は、検索対象商品名９７をデータ記憶部７１から取得し、取得した検索対象商品名９７の医薬品と同種同効の関係にある医薬品の商品名を、テーブル２０９から検索する。要約取得部９６は、次に、検索した検索対象商品名９７に関連づけられた要約と、同種同効医薬品の商品名に関連づけられた医薬品情報の要約とをテーブル２１１から検索する。
【０２１４】
要約出力部８４は、検索された検索対象商品名９７およびその医薬品情報の要約と、同種同効医薬品の商品名およびその医薬品情報の要約とを、互いに対比可能に並べた形式、すなわち図１８に例示するテーブル２１２の形式で表示するＨＴＭＬファイルを作成し、ブラウザ部７０へ送信する。その結果、ブラウザ部７０は、テーブル２１２の形式の画面を、表示装置１３に表示する。それにより、ユーザは検索対象商品名９７の医薬品と、その同種同効医薬品との間で対比しつつ、それらの医薬品情報の要約を参照することが可能となる。
【０２１５】
要約出力部８４が作成したＨＴＭＬファイルでは、商品名の部分がボタンとなっており、当該商品名ボタンがクリックされると、対応する商品名を医薬品情報検索支援システム１０４へ送るための命令が当該ＨＴＭＬファイルに貼り付けられている。類似商品名選択受付部７９は、商品名ボタンがクリックされることにより送られた商品名を受け取ると、当該商品名を新たな検索対象商品名９７としてデータ記憶部７１に記録する。それによりユーザは、所望する同種同効医薬品についての医薬品情報を、分散するウェブサイトから迅速に検索することが可能となる。
【０２１６】
このように、ユーザが入力した商品名の医薬品とそれの同種同効医薬品とについて、医薬品情報の要約が医薬品間で対比可能な形式で表示されるので、ユーザは表示された要約を互いに対比し参照することにより、その一つを容易に選択することができる。ユーザが表示された商品名の一つを選択すると、新たな検索対象商品名９７としてデータ記憶部７１に記憶されるので、ユーザは、新たに選択した商品名の医薬品に関する医薬品情報を、分散するウェブサイトから容易に検索することが可能となる。
【０２１７】
なお、ユーザが同種同効医薬品１７５をクリックしたときに、同種同効医薬品について要約を画面表示する代わりに、同種同効医薬品の商品名だけを画面表示するように、医薬品情報検索支援システム１０４を構成することも可能である。すなわち、同種同効医薬品検索ボタン１７５がクリックされることにより、ブラウザ部７０が、当該ボタンに対応する選択データ、すなわち同種同効商品名出力要求を医薬品情報検索支援システム１０４へ送信すると、入力受付部７２は当該要求を受け付ける。そうすると、類似商品名出力部８５は、検索対象商品名９７をデータ記憶部７１から取得し、取得した検索対象商品名９７の医薬品と同種同効の関係にある医薬品の商品名を、テーブル２０９から検索する。類似商品名出力部８５、次に、検索された検索対象商品名９７と、同種同効医薬品の商品名とを、互いに対比可能に並べた形式、すなわち図１５に例示するテーブル２０９の形式で表示するＨＴＭＬファイルを作成し、ブラウザ部７０へ送信する。その結果、ブラウザ部７０は、テーブル２０９の形式の画面を、表示装置１３に表示する。
【０２１８】
商品名出力部８５が作成したＨＴＭＬファイルでは、商品名の部分がボタンとなっており、当該商品名ボタンがクリックされると、対応する商品名を医薬品情報検索支援システム１０４へ送るための命令が当該ＨＴＭＬファイルに貼り付けられている。類似商品名選択受付部７９は、商品名ボタンがクリックされることにより送られた商品名を受け取ると、当該商品名を新たな検索対象商品名９７としてデータ記憶部７１に記録する。
【０２１９】
ユーザが、メニュー画面１７０に表示された後発医薬品検索ボタン１７６をクリックしたときの処理および操作手順は、テーブル２０９の代わりにテーブル２１０が参照され、テーブル２１２の代わりにテーブル２１３の形式の画面が表示される点を除いて、上記の同種同効医薬品検索ボタン１７５をクリックしたときのものと同様である。このため、その詳細な説明は略する。
【０２２０】
なお、商品名入力受付部７３および類似商品名選択受付部７９は、受け付けた商品名を検索対象商品名９７としてデータ記憶部７１に記憶させる際に、先に記憶されている商品名があるときに、これを上書きする形態を採る代わりに、追加して記憶させることも可能である。この場合、データ記憶部７１に記憶される検索対象商品名９７が複数となることがある。このとき、アドレス取得部９３は、商品提供者サイトアクセス指示部７４がアクセスの指示を受け付けると、最新に記憶された検索対象商品名９７に関連づけられたＵＲＬをテーブル２０２から検索する形態を採ることが可能である。あるいは、アドレス取得部９３は、商品提供者サイトアクセス指示受付部７４がアクセスの指示を受け付けると、検索対象商品名９７をブラウザ部７０に出力させ、ユーザがいずれかを選択する指示を受け付け、指示を受け付けた検索対象商品名９７に関連づけられたＵＲＬをテーブル２０２から検索する形態を採ることも可能である。
【図面の簡単な説明】
【０２２１】
【図１】本発明の実施の形態による商品情報検索支援システムの構成を示すブロック図である。
【図２】本発明の実施の形態による医薬品情報検索支援システムのハードウェア構成を示すブロック図である。
【図３】本発明の実施の形態による端末本体が検索可能な医薬品情報とその在処を示すブロック図である。
【図４】本発明の実施の形態による医薬品情報検索支援システムのソフトウェア構成の一例を模式的に示す説明図である。
【図５】本発明の実施の形態による端末装置と医薬品情報検索支援システムのソフトウェア構成の一例を模式的に示す説明図である。
【図６】本発明の実施の形態による医薬品情報検索支援システムの構成を、機能に基づいて示すブロック図である。
【図７】データベースを構成するテーブルの例を概念的に示す概念図である。
【図８】データベースを構成するテーブルの例を概念的に示す概念図である。
【図９】データベースを構成するテーブルの例を概念的に示す概念図である。
【図１０】データベースを構成するテーブルの例を概念的に示す概念図である。
【図１１】データベースを構成するテーブルの例を概念的に示す概念図である。
【図１２】データベースを構成するテーブルの例を概念的に示す概念図である。
【図１３】データベースを構成するテーブルの例を概念的に示す概念図である。
【図１４】データベースを構成するテーブルの例を概念的に示す概念図である。
【図１５】データベースを構成するテーブルの例を概念的に示す概念図である。
【図１６】データベースを構成するテーブルの例を概念的に示す概念図である。
【図１７】データベースを構成するテーブルの例を概念的に示す概念図である。
【図１８】データベースを構成するテーブルの例を概念的に示す概念図である。
【図１９】データベースを構成するテーブルの例を概念的に示す概念図である。
【図２０】データベースを構成するテーブルの例を概念的に示す概念図である。
【図２１】本発明の実施の形態による医薬品情報検索支援システムを利用する際の操作手順の一例を示すフローチャートである。
【図２２】本発明の実施の形態によるメニュー画面を示す画面図である。
【図２３】本発明の実施の形態によるフレーム画面を示す画面図である。
【図２４】図２１の操作にともなって表示装置に表示される画面の一例を示す画面図である。
【図２５】本発明の実施の形態による医薬品情報検索支援システムを利用する際の操作手順の別の一例を示すフローチャートである。
【図２６】図２５の操作にともなって表示装置に表示される画面の一例を示す画面図である。
【図２７】本発明の実施の形態による医薬品情報検索支援システムを利用する際の操作手順のさらに別の一例を示すフローチャートである。
【図２８】本発明の実施の形態による医薬品情報検索支援システムを利用する際の操作手順のさらに別の一例を示すフローチャートである。
【図２９】本発明の実施の形態による医薬品情報検索支援システムを利用する際の操作手順のさらに別の一例を示すフローチャートである。
【図３０】図２９の操作にともなって表示装置に表示される画面の一例を示す画面図である。
【図３１】本発明の実施の形態による医薬品情報検索支援システムを利用する際の操作手順のさらに別の一例を示すフローチャートである。
【図３２】図３１の操作にともなって表示装置に表示される画面の一例を示す画面図である。
【符号の説明】
【０２２２】
１ｂ，１ｃ  端末装置
７０  ブラウザ部
７１  データ記憶部
７２  入力受付部
７３  商品名入力受付部
７４  商品提供者サイトアクセス指示受付部
７５  認証データ入力部
７６  認証データ出力部
７７  商品情報提供者サイトアクセス指示受付部
７８  選択受付部
７９  類似商品名選択受付部
８０  要約出力要求受付部
８１  検索キーワード出力要求受付部
８２  検索キーワード出力部
８３  付加情報出力部
８４  要約出力部
８５  類似商品名出力部
８６  ガイド情報取得部
８７  ガイド情報出力部
８８  商品名出力部
８９  商品名自動入力部
９０  商品名入力欄判定部
９１  認証データ自動入力部
９２  認証データ入力欄判定部
９３  アドレス取得部
９４  アドレス受渡部
９５  出力部
９６  要約取得部
９７  検索対象商品名
１０１〜１０５  商品情報検索支援システム
１２０  認証データ入力欄
２０１〜２１４  テーブル
【図１】
2008108080.tif 000003
【図２】
2008108080.tif 000004
【図３】
2008108080.tif 000005
【図４】
2008108080.tif 000006
【図５】
2008108080.tif 000007
【図６】
2008108080.tif 000008
【図７】
2008108080.tif 000009
【図８】
2008108080.tif 000010
【図９】
2008108080.tif 000011
【図１０】
2008108080.tif 000012
【図１１】
2008108080.tif 000013
【図１２】
2008108080.tif 000014
【図１３】
2008108080.tif 000015
【図１４】
2008108080.tif 000016
【図１５】
2008108080.tif 000017
【図１６】
2008108080.tif 000018
【図１７】
2008108080.tif 000019
【図１８】
2008108080.tif 000020
【図１９】
2008108080.tif 000021
【図２０】
2008108080.tif 000022
【図２１】
2008108080.tif 000023
【図２２】
2008108080.tif 000024
【図２３】
2008108080.tif 000025
【図２４】
2008108080.tif 000026
【図２５】
2008108080.tif 000027
【図２６】
2008108080.tif 000028
【図２７】
2008108080.tif 000029
【図２８】
2008108080.tif 000030
【図２９】
2008108080.tif 000031
【図３０】
2008108080.tif 000032
【図３１】
2008108080.tif 000033
【図３２】
2008108080.tif 000034